(57)【要約】【課題】先幕と後幕とを用いたスリット露光ができ、先幕および後幕をチャージする際に先幕を退避しつつ開口部を遮蔽した状態を維持できるフォーカルプレーンシャッタ装置を提供する。【解決手段】フォーカルプレーンシャッタ装置１９０は、シャッタ地板１１と、先幕２１と、先幕走行バネ２５と、後幕３１と、後幕走行バネ３５と、駆動ユニット１９９と、を備えている。駆動ユニット１９９は、先幕走行バネ２５の弾性力に逆らう第１付勢力Ｆ１３および後幕走行バネ３５の弾性力に逆らう第２付勢力Ｆ２３を第１および第２弾性部材に付与可能に設けられており、先幕走行バネ２５に第１付勢力Ｆ１３を付与する際に先幕２１を第２先幕位置Ｐ１２に保持し、後幕走行バネ３５に第２付勢力Ｆ２３を付与する際に後幕３１を第１後幕位置Ｐ２１に保持する。【選択図】図６
2012014146.tif 000002
【特許請求の範囲】
【請求項１】
開口部を有するシャッタ地板と、
前記開口部を覆う第１先幕位置と前記開口部から退避した第２先幕位置との間を移動可能に配置された先幕と、
前記第１先幕位置から前記第２先幕位置へ前記先幕が移動するように前記先幕に弾性力を付与する第１弾性部材と、
前記開口部を覆う第１後幕位置と前記開口部から退避した第２後幕位置との間を移動可能に配置された後幕と、
前記第１後幕位置から前記第２後幕位置へ前記後幕が移動するように前記後幕に弾性力を付与する第２弾性部材と、
前記第１弾性部材の弾性力に逆らう第１付勢力および前記第２弾性部材の弾性力に逆らう第２付勢力を前記第１および第２弾性部材に付与可能に設けられ、前記第１弾性部材に前記第１付勢力を付与する際に前記先幕を前記第２先幕位置に保持し、前記第２弾性部材に前記第２付勢力を付与する際に前記後幕を前記第１後幕位置に保持する駆動ユニットと、
を備えたフォーカルプレーンシャッタ装置。
【請求項２】
前記駆動ユニットは、前記第２弾性部材への前記第２付勢力の付与が完了している状態で、前記後幕を前記第１後幕位置に保持する、
請求項１に記載のフォーカルプレーンシャッタ装置。
【請求項３】
前記駆動ユニットは、前記第１弾性部材への前記第１付勢力の付与が完了している状態で、前記先幕を前記第２先幕位置に保持する、
請求項１または２に記載のフォーカルプレーンシャッタ装置。
【請求項４】
前記駆動ユニットは、前記第１付勢力および前記第２付勢力を発生するアクチュエータと、前記第１弾性部材に前記第１付勢力を伝達可能に配置され前記第２弾性部材に前記第２付勢力を伝達可能に配置されたチャージ部材と、を有している、
請求項１から３のいずれかに記載のフォーカルプレーンシャッタ装置。
【請求項５】
前記駆動ユニットは、前記第１後幕位置および前記第２後幕位置の間を移動可能に前記シャッタ地板に前記後幕を連結する後幕駆動部材と、前記後幕が前記第１後幕位置から前記第２後幕位置へ移動する際に前記後幕駆動部材の移動を規制可能に設けられた後幕ロック部材と、を有している、
請求項４に記載のフォーカルプレーンシャッタ装置。
【請求項６】
前記チャージ部材は、前記後幕ロック部材による前記後幕駆動部材の規制を解除する後幕ロック解除部を有している、
請求項５に記載のフォーカルプレーンシャッタ装置。
【請求項７】
前記駆動ユニットは、前記後幕ロック部材が前記後幕駆動部材の移動を規制した状態を保つように前記後幕ロック部材に弾性力を付与する後幕ロック弾性部材を有しており、
前記アクチュエータは、前記後幕ロック弾性部材の弾性力に逆らうように前記チャージ部材を介して前記後幕ロック部材を駆動可能である、
請求項５または６に記載のフォーカルプレーンシャッタ装置。
【請求項８】
前記駆動ユニットは、前記第２弾性部材の弾性力を前記後幕駆動部材に伝達可能に配置された後幕セット部材を有しており、
前記後幕セット部材は、前記第２付勢力を前記第２弾性部材に付与する際に前記チャージ部材を介して前記アクチュエータにより駆動される、
請求項５から７のいずれかに記載のフォーカルプレーンシャッタ装置。
【請求項９】
前記駆動ユニットは、前記第１先幕位置および前記第２先幕位置の間を移動可能に前記シャッタ地板に前記先幕を連結する先幕駆動部材を有しており、
前記チャージ部材は、前記先幕駆動部材を介して前記先幕を前記第２先幕位置で保持する先幕保持部を有しており、
前記先幕駆動部材は、前記先幕保持部と当接可能に設けられた当接部を有している、
請求項４から８のいずれかに記載のフォーカルプレーンシャッタ装置。
【請求項１０】
前記アクチュエータは、前記第１弾性部材への前記第１付勢力の付与が完了する第１チャージ完了位置と、前記第１チャージ完了位置と異なる位置であって前記第２弾性部材への前記第２付勢力の付与が完了する第２チャージ完了位置と、へ前記チャージ部材を駆動可能であり、
前記チャージ部材が前記第１チャージ完了位置にある場合に、前記先幕保持部は、前記第２先幕位置から前記第１先幕位置へ前記先幕が移動する際の前記当接部の移動領域内に入り込んでいる、
請求項９に記載のフォーカルプレーンシャッタ装置。
【請求項１１】
請求項１０に記載のフォーカルプレーンシャッタ装置と、
被写体の光学像を画像信号に変換する撮像素子と、
前記撮像素子と前記フォーカルプレーンシャッタ装置とを制御する制御部と、を備え、
前記撮像素子は、前記先幕の走行方向に順次画素をリセットする電子先幕撮影機能を有し、
前記制御部は、前記電子先幕撮影機能を使用して撮影する時、前記第２チャージ完了位置で前記チャージ部材が停止するように前記アクチュエータを制御し、前記駆動ユニットが前記第２弾性部材への前記第２付勢力の付与を完了し、前記駆動ユニットが前記第１弾性部材への前記第１付勢力の付与を完了していない時点で、電子先幕撮影待機状態とする、
撮像装置。
【請求項１２】
前記駆動ユニットは、前記第１先幕位置および前記第２先幕位置の間を移動可能に前記シャッタ地板に前記先幕を連結する先幕駆動部材と、前記先幕が前記第２先幕位置から前記第１先幕位置へ移動する際に前記先幕駆動部材の移動を規制可能に設けられた先幕ロック部材と、を有している、
請求項４から８のいずれかに記載のフォーカルプレーンシャッタ装置。
【請求項１３】
前記チャージ部材は、前記先幕ロック部材による前記先幕駆動部材の規制を解除する先幕ロック解除部を有している、
請求項１２に記載のフォーカルプレーンシャッタ装置。
【請求項１４】
前記駆動ユニットは、前記先幕ロック部材が前記先幕駆動部材の移動を規制した状態を保つように前記先幕ロック部材に弾性力を付与する先幕ロック弾性部材を有しており、
前記アクチュエータは、前記先幕ロック弾性部材の弾性力に逆らうように前記チャージ部材を介して前記先幕ロック部材を駆動可能である、
請求項１２または１３に記載のフォーカルプレーンシャッタ装置。
【請求項１５】
前記駆動ユニットは、前記第１弾性部材の弾性力を前記先幕駆動部材に伝達可能に配置された先幕セット部材を有しており、
前記先幕セット部材は、前記第１付勢力を前記第１弾性部材に付与する際に前記チャージ部材を介して前記アクチュエータにより駆動される、
請求項１２から１４のいずれかに記載のフォーカルプレーンシャッタ装置。
【請求項１６】
前記駆動ユニットは、前記チャージ部材が前記第１付勢力および前記第２付勢力の付与を開始する前の原点位置に戻るように前記チャージ部材に弾性力を付与する復帰弾性部材と、前記チャージ部材が前記原点位置に戻るのを規制する復帰ロック部材と、を有している、
請求項４から１５のいずれかに記載のフォーカルプレーンシャッタ装置。
【請求項１７】
前記駆動ユニットが前記第１弾性部材への前記第１付勢力の付与を完了するタイミングは、前記駆動ユニットが前記第２弾性部材への前記第２付勢力の付与を完了するタイミングと異なっている、
請求項１から１６のいずれかに記載のフォーカルプレーンシャッタ装置。
【請求項１８】
前記駆動ユニットが前記第２弾性部材への前記第２付勢力の付与を完了するタイミングは、前記駆動ユニットが前記第１弾性部材への前記第１付勢力の付与を完了するタイミングよりも早い、
請求項１から１７のいずれかに記載のフォーカルプレーンシャッタ装置。
【請求項１９】
前記駆動ユニットが前記第２弾性部材への前記第２付勢力の付与を開始するタイミングは、前記駆動ユニットが前記第１弾性部材への前記第１付勢力の付与を開始するタイミングよりも早い、
請求項１から１８のいずれかに記載のフォーカルプレーンシャッタ装置。
【発明の詳細な説明】
【技術分野】
【０００１】
ここに開示された技術は、撮像装置に用いられるフォーカルプレーンシャッタ装置に関する。
【背景技術】
【０００２】
特許文献１は、いわゆるノーマリーオープン機能を有するフォーカルプレーンシャッタ装置を開示している。
【０００３】
特許文献２は、電子先幕撮影に対応したフォーカルプレーンシャッタ装置を開示している。このフォーカルプレーンシャッタ装置は、撮像素子の電子シャッタ機能を利用して先幕の機能を実現しているので、先幕を使わずに後幕だけを走行させるだけで撮影を行うことができる。
【先行技術文献】
【特許文献】
【０００４】
【特許文献１】特開２００４−０６１８６５号公報
【特許文献２】特開２００７−３１６５０３号公報
【発明の概要】
【発明が解決しようとする課題】
【０００５】
しかし、先幕と後幕とを用いたスリット露光ができ、先幕と後幕をチャージする際に先幕を退避しつつ開口部を遮蔽した状態を維持できるフォーカルプレーンシャッタ装置は、いまだ提案されていない。
【０００６】
ここに開示された技術は、先幕と後幕とを用いたスリット露光ができ、先幕と後幕とをチャージする際に先幕を退避しつつ開口部を遮蔽した状態を維持できるフォーカルプレーンシャッタ装置を提供することを目的とする。
【課題を解決するための手段】
【０００７】
ここに開示されるフォーカルプレーンシャッタ装置は、開口部を有するシャッタ地板と、先幕と、第１弾性部材と、後幕と、第２弾性部材と、駆動ユニットと、を備えている。先幕は、開口部を覆う第１先幕位置と開口部から退避した第２先幕位置との間を移動可能に配置されている。第１弾性部材は、第１先幕位置から第２先幕位置へ先幕が移動するように先幕に弾性力を付与する。後幕は、開口部を覆う第１後幕位置と開口部から退避した第２後幕位置との間を移動可能に配置されている。第２弾性部材は、第１後幕位置から第２後幕位置へ後幕が移動するように後幕に弾性力を付与する。駆動ユニットは、第１弾性部材の弾性力に逆らう第１付勢力および第２弾性部材の弾性力に逆らう第２付勢力を第１および第２弾性部材に付与可能に設けられており、第１弾性部材に第１付勢力を付与する際に先幕を第２先幕位置に保持し、第２弾性部材に第２付勢力を付与する際に後幕を第１後幕位置に保持する。
【０００８】
このフォーカルプレーンシャッタ装置では、駆動ユニットにより、第１弾性部材に第１付勢力を付与する際に先幕が第２先幕位置に保持され、第２弾性部材に第２付勢力を付与する際に後幕が第１後幕位置に保持される。
【発明の効果】
【０００９】
このため、ここに開示された技術によれば、先幕と後幕とを用いたスリット露光ができ、先幕と後幕とをチャージする際に先幕を退避しつつ開口部を遮蔽した状態を維持できるフォーカルプレーンシャッタ装置を提供することができる。したがって、例えば、先幕を退避した状態で、先幕と後幕のチャージと並行して撮像素子からの画像データの読み出しを行うことが可能である。
【図面の簡単な説明】
【００１０】
【図１】デジタルカメラ１の斜視図
【図２】カメラ本体１００の斜視図
【図３】デジタルカメラ１のブロック図
【図４】デジタルカメラ１の概略断面図
【図５】カメラ本体１００の背面図
【図６】後幕の走行が完了した状態のフォーカルプレーンシャッタ装置１９０の状態図
【図７】図６の要部詳細図
【図８】後幕チャージ完了状態のフォーカルプレーンシャッタ装置１９０の状態図
【図９】図８の要部詳細図
【図１０】先幕および後幕チャージ完了状態のフォーカルプレーンシャッタ装置１９０の状態図
【図１１】図１０の要部詳細図
【図１２】スリット露光待機状態のフォーカルプレーンシャッタ装置１９０の状態図
【図１３】図１２の要部詳細図
【図１４】電子先幕撮影待機状態のフォーカルプレーンシャッタ装置１９０の状態図
【図１５】図１４の要部詳細図
【図１６】先幕駆動レバーの構成図
【図１７】（Ａ）先幕セットレバー、先幕連結アームおよび先幕リンクレバーの構成図、（Ｂ）後幕セットレバー、後幕連結アームおよび後幕リンクレバーの構成図
【図１８】後幕駆動レバーおよび後幕ロックレバーの構成図
【図１９】チャージレバーの構成図
【図２０】（Ａ）チャージレバーの動作説明図、（Ｂ）チャージレバーの動作説明図
【図２１】スリット露光撮影のフローチャート
【図２２】スリット露光撮影のフローチャート
【図２３】スリット露光撮影のタイムチャート
【図２４】電子先幕撮影のタイムチャート
【図２５】後幕の走行が完了した状態のフォーカルプレーンシャッタ装置１９０の状態図
【図２６】図２０の要部詳細図
【図２７】チャージが完了した状態のフォーカルプレーンシャッタ装置１９０の状態図
【図２８】図２７の要部詳細図
【図２９】ライブビュー状態のフォーカルプレーンシャッタ装置１９０の状態図
【図３０】図２９の要部詳細図
【図３１】スリット露光撮影待機状態のフォーカルプレーンシャッタ装置１９０の状態図
【図３２】図３１の要部詳細図
【図３３】電子先幕撮影待機状態のフォーカルプレーンシャッタ装置１９０の状態図
【図３４】図３３の要部詳細図
【図３５】（Ａ）先幕駆動レバーおよび先幕ロックレバーの構成図、（Ｂ）後幕駆動レバーおよび後幕ロックレバーの構成図
【図３６】（Ａ）先幕セットレバーの構成図、（Ｂ）後幕セットレバーの構成図
【図３７】（Ａ）チャージレバーおよびリターンロックレバーの構成図（ロック時）、（Ｂ）チャージレバーおよびリターンロックレバーの構成図（ロック解除時）
【図３８】（Ａ）先幕駆動レバー、先幕ロックレバー、チャージレバーおよびリターンロックレバーの構成図（ロック時）、（Ｂ）先幕駆動レバー、先幕ロックレバー、チャージレバーおよびリターンロックレバーの構成図（ロック解除時）
【図３９】（Ａ）チャージレバー、リターンロックレバー、後幕駆動レバーおよび後幕ロックレバーの構成図（後幕ロック時）、（Ｂ）チャージレバー、リターンロックレバー、後幕駆動レバーおよび後幕ロックレバーの構成図（後幕ロック解除時）
【図４０】スリット露光撮影のフローチャート
【図４１】スリット露光撮影のタイムチャート
【発明を実施するための形態】
【００１１】
＜第１実施形態＞
（１：デジタルカメラ）
図を用いて、フォーカルプレーンシャッタ装置１９０を搭載したデジタルカメラ１の概要について説明する。なお、フォーカルプレーンシャッタ装置１９０は、本実施形態のデジタルカメラ１以外のカメラにも搭載可能である。
【００１２】
図１は、第１実施形態に係るデジタルカメラ１の斜視図である。図２は、カメラ本体１００の斜視図である。図３は、デジタルカメラ１の機能ブロック図である。
【００１３】
デジタルカメラ１は、交換レンズ式のデジタルカメラであり、カメラ本体１００と、カメラ本体１００に装着可能なレンズユニット２００と、を備えている。
【００１４】
図４は、デジタルカメラ１の概略断面図である。図５は、カメラ本体の背面図である。カメラ本体１００は、主に、ＣＭＯＳ（Complementary Metal Oxide Semiconductor）イメージセンサー１１０と、ＣＭＯＳ回路基板１１３と、カメラモニタ１２０と、操作部１３０と、カメラコントローラー１４０を含むメイン回路基板１４２と、ボディマウント１５０と、電源１６０と、カードスロット１７０と、フォーカルプレーンシャッタ装置１９０と、を備えている。
【００１５】
ＣＭＯＳイメージセンサー１１０（撮像素子の一例）は、レンズユニット２００を介して入射される被写体の光学像（以下、被写体像ともいう）を画像データに変換する。生成された画像データは、ＣＭＯＳ回路基板１１３のＡＤコンバーター１１１でデジタル化される。ＡＤコンバーター１１１でデジタル化された画像データは、カメラコントローラー１４０で様々な画像処理が施される。ここで言う様々な画像処理とは、例えば、ガンマ補正処理、ホワイトバランス補正処理、キズ補正処理、ＹＣ変換処理、電子ズーム処理、ＪＰＥＧ圧縮処理等である。
【００１６】
ＣＭＯＳイメージセンサー１１０は、タイミング発生器１１２で生成されるタイミング信号に基づいて動作する。ＣＭＯＳイメージセンサー１１０は、ＣＭＯＳ回路基板１１３の制御により、静止画データおよび動画データの取得を行うことができる。取得された動画データは、スルー画像の表示にも用いられる。なお、静止画データおよび動画データは、画像データの一例である。
【００１７】
ここで、スルー画像とは、動画データのうちメモリーカード１７１に記録されない画像である。スルー画像は、主に動画像であり、動画像または静止画像の構図を決めるためにカメラモニタ１２０に表示される。
【００１８】
ＣＭＯＳイメージセンサー１１０は、スルー画像として用いられる低解像度の動画像の取得と、記録用として用いられる高解像度の動画像の取得とが可能である。高解像度の動画像としては、例えば、ＨＤサイズ（ハイビジョンサイズ：１９２０×１０８０画素）の動画像が考えられる。なお、ＣＭＯＳイメージセンサー１１０は被写体の光学像を電気的な画像信号に変換する撮像素子の一例である。撮像素子は、ＣＭＯＳイメージセンサー１１０の他に、ＣＣＤイメージセンサー等の光電変換素子を含む概念である。
【００１９】
ＣＭＯＳイメージセンサー１１０は、後述する先幕２１の走行方向に順次画素をリセットする電子先幕機能を有している。
【００２０】
ＣＭＯＳ回路基板１１３は、ＣＭＯＳイメージセンサー１１０を制御する回路基板である。ＣＭＯＳ回路基板１１３は、ＣＭＯＳイメージセンサー１１０から出力される画像データに所定の処理を施す回路基板であり、タイミング発生器１１２およびＡＤコンバーター１１１を含む。ＣＭＯＳ回路基板１１３は、撮像素子を駆動制御し、撮像素子から出力される画像データにＡＤ変換等の所定の処理を施す撮像素子回路基板の一例である。
【００２１】
カメラモニタ１２０は、例えば液晶ディスプレイであり、表示用画像データが示す画像等を表示する。表示用画像データは、カメラコントローラー１４０で生成される。表示用画像データは、例えば、画像処理された画像データ、デジタルカメラ１の撮影条件、操作メニュー等を画像として表示するためのデータである。カメラモニタ１２０は、動画像も静止画像も選択的に表示可能である。
【００２２】
カメラモニタ１２０は、カメラ本体１００に設けられている。本実施形態では、カメラ本体１００の背面に配置されているが、カメラモニタ１２０はカメラ本体１００のどこに配置されていてもよい。
【００２３】
なお、カメラモニタ１２０はカメラ本体１００に設けられた表示部の一例である。表示部としては、他にも、有機ＥＬ、無機ＥＬ、プラズマディスプレイパネル等、画像を表示できるものを用いることができる。また、表示部は、カメラ本体１００の背面でなく、側面や上面等、他の場所に設けてもよい。
【００２４】
操作部１３０は、ユーザーによる操作を受け付ける。具体的には図６および図７に示すように、操作部１３０は、ユーザーによるフォーカルプレーンシャッタ操作を受け付けるレリーズ釦１３１と、カメラ本体１００の上面に設けられた回転式のダイアルスイッチである電源スイッチ１３２と、を含む。操作部１３０は、ユーザーによる操作を受け付けることができればよく、ボタン、レバー、ダイアル、タッチパネル等を含む。
【００２５】
カメラコントローラー１４０は、カメラ本体１００の各部を制御する。カメラコントローラー１４０は、操作部１３０からの指示を受け付ける。カメラコントローラー１４０は、レンズユニット２００を制御するための信号を、ボディマウント１５０及びレンズマウント２５０を介して、レンズコントローラー２４０に送信し、レンズユニット２００の各部を間接的に制御する。すなわち、カメラコントローラー１４０は、デジタルカメラ１全体を制御する。
【００２６】
カメラコントローラー１４０は、ＣＭＯＳ回路基板１１３を制御する。具体的には、カメラコントローラー１４０はＣＭＯＳ回路基板１１３に制御信号を送信し、ＣＭＯＳ回路基板１１３は受信した制御信号に基づきＣＭＯＳイメージセンサー１１０を制御する。つまり、カメラコントローラー１４０は、ＣＭＯＳイメージセンサー１１０を制御する。また、カメラコントローラー１４０は、ＣＭＯＳイメージセンサー１１０により生成され、ＣＭＯＳ回路基板１１３によりＡＤ変換等の所定の処理を施された画像データを取得し、さらに処理を施す。例えば、カメラコントローラー１４０は、ＣＭＯＳ回路基板１１３により処理された画像データから、表示用画像データや記録用動画データなどを生成する。
【００２７】
さらに、カメラコントローラー１４０は、後述するフォーカルプレーンシャッタ装置１９０を制御する。具体的には、カメラコントローラー１４０は、電子先幕撮影機能を使用して撮影する時、第２チャージ完了位置でチャージレバー２９が停止するようにモータ４６を制御する、。チャージ機構１９４が後幕走行バネ３５への第２付勢力Ｆ２３（図７参照）の付与を完了し、チャージ機構１９４が先幕走行バネ２５への第１付勢力Ｆ１３の付与を完了していない時点で、カメラコントローラー１４０はフォーカルプレーンシャッタ装置１９０を電子先幕撮影待機状態とする（図１３参照）。
【００２８】
カードスロット１７０は、メモリーカード１７１を装着可能である。カードスロット１７０は、カメラコントローラー１４０から送信される制御信号に基づいて、メモリーカード１７１を制御する。具体的には、カードスロット１７０は、メモリーカード１７１に画像データを格納する。カードスロット１７０は、メモリーカード１７１から画像データを出力する。また、カードスロット１７０は、メモリーカード１７１に動画データを格納する。カードスロット１７０は、メモリーカード１７１から動画データを出力する。
【００２９】
メモリーカード１７１は、カメラコントローラー１４０が画像処理により生成した画像データを格納可能である。例えば、メモリーカード１７１は、非圧縮のＲＡＷ画像ファイルや圧縮されたＪＰＥＧ画像ファイル等を格納できる。また、メモリーカード１７１は、あらかじめ内部に格納された画像データ又は画像ファイルを、カードスロット１７０を介して出力できる。メモリーカード１７１から出力された画像データ又は画像ファイルは、カメラコントローラー１４０で画像処理される。例えば、カメラコントローラー１４０は、メモリーカード１７１から取得した画像データ又は画像ファイルに伸張処理を施し、表示用画像データを生成する。
【００３０】
メモリーカード１７１は、さらに、カメラコントローラー１４０が画像処理により生成した動画データを格納可能である。例えば、メモリーカード１７１は、動画圧縮規格であるＨ．２６４／ＡＶＣに従って圧縮された動画ファイルを格納できる。また、メモリーカード１７１は、あらかじめ内部に格納された動画データ又は動画ファイルを、カードスロット１７０を介して出力できる。メモリーカード１７１から出力された動画データまたは動画ファイルは、カメラコントローラー１４０で画像処理される。例えば、カメラコントローラー１４０は、メモリーカード１７１から取得した動画データまたは動画ファイルに伸張処理を施し、表示用動画データを生成する。
【００３１】
なお、メモリーカード１７１は記憶部の一例である。記憶部は、メモリーカード１７１のようにカメラ本体１００に装着可能なものでもよく、デジタルカメラ１に固定されているものでもよい。
【００３２】
電源１６０は、デジタルカメラ１で使用するための電力を各部に供給する。電源１６０は、例えば、乾電池であってもよいし、充電池であってもよい。また、電源１６０は、電源コード等を介して外部の電源から電力の供給を受け、デジタルカメラ１に電力を供給するユニットであってもよい。
【００３３】
ボディマウント１５０は、レンズマウント２５０と係合する。ボディマウント１５０は、レンズユニット２００を支持する。また、ボディマウント１５０とレンズマウント２５０とは、電気的に接続可能である。カメラ本体１００は、ボディマウント１５０とレンズマウント２５０とを介して、レンズユニット２００との間で、データおよび制御信号のうち少なくとも一方を送受信できる。
【００３４】
フォーカルプレーンシャッタ装置１９０（フォーカルプレーンシャッタ装置の一例）は、ＣＭＯＳイメージセンサー１１０の前側（被写体側）に配置されており、ＣＭＯＳイメージセンサー１１０の露光時間を制御する。フォーカルプレーンシャッタ装置１９０は、光学系ＬからＣＭＯＳイメージセンサー１１０に向かう光を遮蔽する状態（閉状態）と、光学系ＬからＣＭＯＳイメージセンサー１１０に向かう光を透過する状態（開状態）と、を有している。フォーカルプレーンシャッタ装置１９０の詳細については後述する。
【００３５】
レンズユニット２００は、カメラ本体１００に装着可能であり、被写体の光学像を形成する。具体的には、レンズユニット２００は、光学系Ｌと、駆動部２１５と、レンズマウント２５０と、レンズコントローラー２４０と、レンズ筒２６０と、を有している。
【００３６】
光学系Ｌは、ＣＭＯＳイメージセンサー１１０の受光面に、被写体の光学像を形成する。
【００３７】
レンズコントローラー２４０は、カメラコントローラー１４０から送信される制御信号に基づいて、レンズユニット２００全体を制御する。
【００３８】
（２：フォーカルプレーンシャッタ装置の構成）
図６から図１１を用いて、第１実施形態に係るフォーカルプレーンシャッタ装置１９０を説明する。
【００３９】
フォーカルプレーンシャッタ装置１９０は、開口部開閉機構１９１と、開口部開閉機構１９１を駆動するための駆動ユニット１９９と、を有している。
【００４０】
（２．１：開口部開閉機構１９１）
図６に示すように、開口部開閉機構１９１は、シャッタ地板１１と、先幕２１と、先幕駆動アーム２２と、先幕従動アーム２３と、後幕３１と、後幕駆動アーム３２と、後幕従動アーム３３と、を有している。
【００４１】
シャッタ地板１１は、２つの板を有している。２つの板の間には、先幕２１および後幕３１が走行可能な程度に隙間が形成されている。シャッタ地板１１は、光学系Ｌからの被写体光をＣＭＯＳイメージセンサー１１０へ導くための開口部（アパーチャともいう。）１１ａを有している。
【００４２】
図６および図１２に示すように、先幕２１（先幕の一例）は、第１先幕位置Ｐ１１（第１先幕位置の一例）と第２先幕位置Ｐ１２（第２先幕位置の一例）との間を移動可能に配置されている。第１先幕位置Ｐ１１では先幕２１は開口部１１ａを覆っている。図６に示すように、第２先幕位置Ｐ１２では先幕２１は開口部１１ａから退避している。先幕２１が開口部１１ａを覆った状態を先幕２１の撮影待機状態とも言う。図１２に示すように、先幕２１が開口部１１ａから退避した状態を先幕２１の走行完了状態とも言う。先幕２１は、先幕駆動アーム２２および先幕従動アーム２３により第１先幕位置Ｐ１１および第２先幕位置Ｐ１２の間を移動可能に支持されている。
【００４３】
先幕駆動アーム２２はシャッタ地板１１に対して回転可能に配置されている。図１２に示すように、先幕駆動アーム２２は、回転軸２２ａ、軸２２ｂ、軸２２ｃおよび軸２２ｄを有している。先幕２１は、第１先幕羽根２１ａ、第２先幕羽根２１ｂおよび第３先幕羽根２１ｃを有している。先幕駆動アーム２２はシャッタ地板１１により回転軸２２ａを中心に回転可能に支持されている。第１先幕羽根２１ａは軸２２ｂ、第２先幕羽根２１ｂは軸２２ｃ、第３先幕羽根２１ｃは軸２２ｄを中心にそれぞれ回転可能に先幕駆動アーム２２により支持されている。
【００４４】
また、先幕従動アーム２３はシャッタ地板１１に対して回転可能に配置されている。具体的には、先幕従動アーム２３は、回転軸２３ａ、軸２３ｂ、軸２３ｃおよび軸２３ｄを有している。先幕従動アーム２３はシャッタ地板１１により回転軸２３ａを中心に回転可能に支持されている。第１先幕羽根２１ａは軸２３ｂ、第２先幕羽根２１ｂは軸２３ｃ、第３先幕羽根２１ｃは軸２３ｄを中心にそれぞれ回転可能に先幕従動アーム２３により支持されている。
【００４５】
このように、先幕２１、先幕駆動アーム２２および先幕従動アーム２３はいわゆる平行リンク機構を構成している。先幕駆動アーム２２および先幕従動アーム２３の回転に伴い、第１先幕羽根２１ａ、第２先幕羽根２１ｂおよび第３先幕羽根２１ｃは、開口部１１ａの長辺と平行な状態を保ったまま、開口部１１ａの短辺方向に順次移動する。
【００４６】
図６および図１０に示すように、後幕３１（後幕の一例）は、第１後幕位置Ｐ２１（第１後幕位置の一例）と第２後幕位置Ｐ２２（第２後幕位置の一例）との間を移動可能に配置されている。第１後幕位置Ｐ２１では後幕３１は開口部１１ａを覆っている。図１０に示すように、第２後幕位置Ｐ２２では後幕３１は開口部１１ａから退避している。図６に示すように、後幕３１が開口部１１ａを覆った状態を後幕３１の撮影待機状態とも言う。図１０に示すように、後幕３１が開口部１１ａから退避した状態を後幕３１の走行完了状態とも言う。後幕３１は、後幕駆動アーム３２および後幕従動アーム３３により第１後幕位置Ｐ２１および第２後幕位置Ｐ２２の間を移動可能に支持されている。
【００４７】
後幕駆動アーム３２はシャッタ地板１１に対して回転可能に配置されている。図６に示すように、後幕駆動アーム３２は、回転軸３２ａ、軸３２ｂ、軸３２ｃおよび軸３２ｄを有している。後幕３１は、第１後幕羽根３１ａ、第２後幕羽根３１ｂおよび第３後幕羽根３１ｃを有している。後幕駆動アーム３２はシャッタ地板１１により回転軸３２ａを中心に回転可能に支持されている。第１後幕羽根３１ａは軸３２ｂ、第２後幕羽根３１ｂは軸３２ｃ、第３後幕羽根３１ｃは軸３２ｄを中心にそれぞれ回転可能に後幕駆動アーム３２により支持されている。
【００４８】
また、後幕従動アーム３３はシャッタ地板１１に対して回転可能に配置されている。具体的には、後幕従動アーム３３は、回転軸３３ａ、軸３３ｂ、軸３３ｃおよび軸３３ｄを有している。後幕従動アーム３３はシャッタ地板１１により回転軸３３ａを中心に回転可能に支持されている。第１後幕羽根３１ａは軸３３ｂ、第２後幕羽根３１ｂは軸３３ｃ、第３後幕羽根３１ｃは軸３３ｄを中心にそれぞれ回転可能に後幕従動アーム３３により支持されている。
【００４９】
このように、後幕３１、後幕駆動アーム３２および後幕従動アーム３３はいわゆる平行リンク機構を構成している。後幕駆動アーム３２および後幕従動アーム３３の回転に伴い、第１後幕羽根３１ａ、第２後幕羽根３１ｂおよび第３後幕羽根３１ｃは、開口部１１ａの長辺と平行な状態を保ったまま、開口部１１ａの短辺方向に順次移動する。
【００５０】
（２．２：駆動ユニット１９９）
駆動ユニット１９９は、先幕２１および後幕３１をチャージするために設けられており、先幕走行バネ２５の弾性力に逆らう第１付勢力および後幕走行バネ３５の弾性力に逆らう第２付勢力を先幕走行バネ２５および後幕走行バネ３５に付与可能に設けられている。
【００５１】
また、駆動ユニット１９９は、先幕走行バネ２５に第１付勢力を付与する際に先幕２１を第２先幕位置Ｐ１２に保持し、先幕走行バネ２５への第１付勢力の付与が完了している状態で、先幕２１を第２先幕位置Ｐ１２に保持する。
【００５２】
さらに、駆動ユニット１９９は、後幕走行バネ３５に第２付勢力を付与する際に後幕３１を第１後幕位置Ｐ２１に保持し、後幕走行バネ３５への第２付勢力の付与が完了している状態で、後幕３１を第１後幕位置Ｐ２１に保持する。
【００５３】
以上の機能を実現するために、駆動ユニット１９９は、先幕駆動機構１９２と、後幕駆動機構１９３と、チャージ機構１９４と、を有している。
【００５４】
（２．２．１：先幕駆動機構１９２）
図６および図７に示すように、先幕駆動機構１９２は、先幕２１を駆動するために設けられており、先幕駆動レバー２８と、先幕セットバネ２７と、チャージレバー２９と、先幕セットレバー２４と、先幕走行バネ２５と、先幕用電磁石２６と、を有している。
【００５５】
先幕駆動レバー２８（先幕駆動部材の一例）は、第１先幕位置Ｐ１１および第２先幕位置Ｐ１２の間を移動可能に先幕２１をシャッタ地板１１に連結している。図１６に示すように、先幕駆動レバー２８は駆動連結ピン２８ａおよび爪部２８ｃを有している。図６に示すように、先幕駆動アーム２２は連結穴２２ｅを有している。連結穴２２ｅには、駆動連結ピン２８ａが挿入されている。先幕駆動レバー２８は、先幕駆動アーム２２と同様に、回転軸２２ａを中心に回転可能に回転軸２２ａにより支持されている。先幕駆動アーム２２と先幕駆動レバー２８とは、回転軸２２ａを中心に一体回転可能となっている。
【００５６】
先幕セットバネ２７（第３弾性部材の一例）は先幕２１が開口部１１ａを覆う方向へ先幕駆動レバー２８を付勢している。具体的には図７に示すように、先幕２１が第１先幕位置Ｐ１１から第２先幕位置Ｐ１２へ移動するように先幕セットバネ２７は先幕２１に弾性力Ｆ１２を付与している。先幕セットバネ２７の弾性力Ｆ１２は先幕走行バネ２５の弾性力Ｆ１１よりも小さい。先幕セットバネ２７は先幕従動アーム２３に引っかけられているので、先幕セットバネ２７の弾性力Ｆ１２は先幕駆動アーム２２に作用している。本実施形態では、先幕セットバネ２７は、先幕駆動レバー２８に時計回りの回転力を与えている。
【００５７】
図１６に示すように、先幕駆動レバー２８は先幕駆動レバー当接部２８ｂを有している。図１７（Ａ）に示すように、先幕セットレバー２４は先幕セットレバー当接部２４ａを有している。図７に示すように、先幕駆動レバー当接部２８ｂは先幕セットレバー当接部２４ａと当接する。先幕セットレバー２４は、先幕駆動レバー２８と同様に、回転軸２２ａを中心に回転可能に回転軸２２ａにより支持されている。先幕セットレバー２４が反時計回りに回転すると、先幕セットレバー当接部２４ａにより先幕駆動レバー当接部２８ｂが押され、先幕駆動レバー２８が反時計回りに回転する。第１先幕位置Ｐ１１から第２先幕位置Ｐ１２へ先幕２１が移動する際、先幕セットレバー２４は、先幕駆動レバー２８を介して先幕走行バネ２５の弾性力Ｆ１１を先幕２１に伝達する。つまり、チャージ機構１９４は、先幕走行バネ２５に第１付勢力Ｆ１３を付与する際、先幕セットレバー２４を介して先幕走行バネ２５に第１付勢力Ｆ１３を付与する。
【００５８】
また、先幕セットバネ２７の弾性力Ｆ１２により先幕駆動レバー２８には時計回りに回転力が付与されている。このため、先幕セットレバー当接部２４ａと先幕駆動レバー当接部２８ｂとが接触している。先幕セットレバー２４はストッパ（図示せず）により反時計回りの回転が図６に示す位置で規制されている。このため、先幕セットレバー２４および先幕駆動レバー２８が一体となって反時計回りに回転すると、先幕セットレバー２４および先幕駆動レバー２８が図６に示す位置で停止する。先幕走行バネ２５の弾性力Ｆ１１により先幕セットレバー２４および先幕駆動レバー２８は図６に示す位置を保つ。つまり、先幕駆動レバー２８は先幕セットレバー２４を介して先幕走行バネ２５の弾性力Ｆ１１を先幕２１に伝達することができる。
【００５９】
一方で、先幕セットレバー２４が時計回りに回転しても、先幕セットレバー当接部２４ａは先幕駆動レバー当接部２８ｂと接触しないので、先幕セットレバー２４が時計回りに回転する場合は先幕セットレバー２４は先幕駆動レバー２８と独立して回転する。したがって、チャージ機構１９４が先幕走行バネ２５に第１付勢力Ｆ１３を付与する際、先幕セットレバー２４は、先幕駆動レバー２８を介さずに先幕走行バネ２５に第１付勢力Ｆ１３を付与する。
【００６０】
図７に示すように、先幕走行バネ２５（第１弾性部材の一例）は先幕セットレバー２４に反時計回りの強い弾性力Ｆ１１を常に付与している。具体的には、先幕２１が第１先幕位置Ｐ１１から第２先幕位置Ｐ１２へ移動するように先幕走行バネ２５は先幕２１に弾性力Ｆ１１を付与している。先幕走行バネ２５の弾性力Ｆ１１により先幕セットレバー２４には反時計回りの回転力が作用している。先幕セットレバー２４は先幕走行バネ２５の弾性力Ｆ１１を先幕駆動レバー２８に伝達可能に配置されている。したがって、例えば図６に示すように、先幕セットレバー当接部２４ａと先幕駆動レバー当接部２８ｂとが接触している状態では、先幕走行バネ２５の弾性力Ｆ１１は先幕駆動レバー２８に伝達される。つまり、先幕２１が第１先幕位置Ｐ１１に配置されている場合、先幕走行バネ２５は先幕駆動レバー２８に反時計回りの強い弾性力Ｆ１１を付与している。先幕走行バネ２５の弾性力Ｆ１１は先幕駆動レバー２８を介して先幕駆動アーム２２および先幕２１にも伝達される。したがって、先幕走行バネ２５は先幕２１が開口部１１ａから退避する方向に先幕２１を付勢する。
【００６１】
ここで、先幕走行バネ２５が先幕駆動レバー２８に与える反時計回りの弾性力Ｆ１１は、先幕セットバネ２７が先幕駆動レバー２８に与える時計回りの弾性力Ｆ１２よりも強い。したがって、先幕２１に先幕セットバネ２７の弾性力Ｆ１２が作用している状態でも、先幕走行バネ２５の弾性力Ｆ１１により先幕２１が開口部１１ａから退避する方向へ走行させることができる。先幕２１が走行する際の力は、先幕走行バネ２５の弾性力Ｆ１１と先幕セットバネ２７の弾性力Ｆ１２との合力に相当する。
【００６２】
さらに、図７に示すように、先幕セットレバー２４の端部には先幕吸着片２４ｂが固定されている。先幕吸着片２４ｂは先幕用電磁石２６に吸着可能に配置されている。先幕用電磁石２６に電力が供給されると、先幕用電磁石２６が磁力を発生する。このため、先幕吸着片２４ｂが先幕用電磁石２６に接触している状態で先幕用電磁石２６に電力が供給されると、先幕吸着片２４ｂは先幕用電磁石２６の磁力により先幕用電磁石２６に吸着される。先幕吸着片２４ｂと先幕用電磁石２６との間の吸着力は、先幕走行バネ２５の弾性力Ｆ１１に対抗できるだけの十分な大きさを有している。したがって、先幕吸着片２４ｂが先幕用電磁石２６に吸着されている状態では、先幕走行バネ２５の弾性力Ｆ１１が先幕セットレバー２４に作用していても、先幕セットレバー２４の位置が図９に示すチャージ位置に保たれる。
【００６３】
（２．２．２：後幕駆動機構１９３）
図６および図７に示すように、後幕駆動機構１９３は、後幕３１を駆動するために設けられており、後幕駆動レバー３９（後幕駆動部材の一例）と、後幕セットレバー３４（後幕セット部材の一例）と、後幕走行バネ３５（第１弾性部材の一例）と、後幕ロックレバー５２（後幕ロック部材の一例）と、を有している。
【００６４】
図７および図１８に示すように、後幕駆動レバー３９は、第１後幕位置Ｐ２１および第２後幕位置Ｐ２２の間を移動可能にシャッタ地板１１に後幕３１を連結している。後幕駆動レバー３９は後幕駆動レバー連結ピン３９ａを有している。後幕駆動アーム３２は後幕駆動アーム連結穴３２ｅを有している。後幕駆動アーム連結穴３２ｅには後幕駆動レバー連結ピン３９ａが挿入されている。
【００６５】
また、後幕駆動レバー３９および後幕駆動アーム３２は、回転軸３２ａを中心に回転可能に回転軸３２ａにより支持されている。後幕駆動アーム３２と後幕駆動レバー３９とは、回転軸３２ａを中心に一体的に回転可能となっている。
【００６６】
後幕セットバネ５４は後幕３１が開口部１１ａから退避する方向へ後幕駆動レバー３９を付勢している。具体的には図７に示すように、後幕３１が第１後幕位置Ｐ２１から第２後幕位置Ｐ２２へ移動するように後幕セットバネ５４は後幕３１に弾性力Ｆ２２を付与している。後幕セットバネ５４の弾性力Ｆ２２は後幕走行バネ３５の弾性力Ｆ２１よりも小さい。後幕セットバネ５４の弾性力Ｆ２２は後幕駆動アーム３２および後幕従動アーム３３へ伝達されている。この結果、後幕セットバネ５４は後幕駆動レバー３９に時計回りの弾性力Ｆ２２を与えている。
【００６７】
図１８に示すように、後幕駆動レバー３９は後幕駆動レバー当接部３９ｂを有している。図１７（Ｂ）に示すように、後幕セットレバー３４は後幕セットレバー当接部３４ａを有している。図７に示すように、後幕駆動レバー当接部３９ｂは後幕セットレバー当接部３４ａと当接する。後幕セットレバー３４は、後幕駆動レバー３９と同様に、回転軸３２ａを中心に回転可能に回転軸３２ａにより支持されている。後幕セットレバー３４が反時計回りに回転すると、後幕セットレバー当接部３４ａにより後幕駆動レバー当接部３９ｂを押され、後幕駆動レバー３９が反時計回りに回転する。第１後幕位置Ｐ２１から第２後幕位置Ｐ２２へ後幕３１が移動する際、後幕セットレバー３４は、後幕駆動レバー３９を介して後幕走行バネ３５の弾性力Ｆ２１を後幕３１に伝達する。つまり、チャージ機構１９４は、後幕走行バネ３５に第２付勢力Ｆ２３を付与する際、後幕セットレバー３４を介して後幕走行バネ３５に第２付勢力Ｆ２３を付与する。
【００６８】
また、後幕セットバネ５４の弾性力Ｆ２２により後幕駆動レバー３９には時計回りに回転力が付与されている。このため、後幕セットレバー当接部３４ａと後幕駆動レバー当接部３９ｂとが接触している。後幕セットレバー３４はストッパ（図示せず）により反時計回りの回転が図６に示す位置で規制されている。このため、後幕セットレバー３４および後幕駆動レバー３９が一体となって反時計回りに回転すると、後幕セットレバー３４および後幕駆動レバー３９が図７に示す位置で停止する。後幕走行バネ３５の弾性力Ｆ２１により後幕セットレバー３４および後幕駆動レバー３９は図７に示す位置を保つ。つまり、後幕駆動レバー３９は後幕セットレバー３４を介して後幕走行バネ３５の弾性力Ｆ２１を後幕３１に伝達することができる。
【００６９】
一方で、後幕セットレバー３４が時計回りに回転しても、後幕セットレバー当接部３４ａは後幕駆動レバー当接部３９ｂと接触しないので、後幕セットレバー３４が時計回りに回転する場合は後幕セットレバー３４が後幕駆動レバー３９と独立して回転する。したがって、チャージ機構１９４が後幕走行バネ３５に第２付勢力Ｆ２３を付与する際、後幕セットレバー３４は、後幕駆動レバー３９を介さずに後幕走行バネ３５に第２付勢力Ｆ２３を付与する（図１９参照）。
【００７０】
後幕ロックレバー５２は、後幕３１が第１後幕位置Ｐ２１から第２後幕位置Ｐ２２へ移動する際に後幕駆動レバー３９の移動を規制可能に設けられている。具体的には図１８に示すように、後幕駆動レバー３９は、さらに後幕ロック部３９ｃを有しており、後幕ロックレバー５２はロック爪５２ｂを有している。後幕３１が開口部１１ａを覆った状態で、後幕ロック部３９ｃはロック爪５２ｂに引っかかっている。後幕ロックレバー５２は回転軸５２ａを中心に回転可能に回転軸５２ａにより支持されている。回転軸５２ａは、シャッタ地板１１に固定されている。後幕ロックレバー５２には後幕ロックバネ５３（後幕ロック弾性部材の一例）により反時計回りの回転力が付与されている。後幕ロックバネ５３は後幕ロックレバー５２が後幕駆動レバー３９の移動を規制した状態を保つように後幕ロックレバー５２に弾性力を付与している。したがって、後幕ロック部３９ｃがロック爪５２ｂに引っかかっている状態が後幕ロックバネ５３の弾性力により保持される。
【００７１】
また、後幕ロックレバー５２はロック解除爪５２ｃを有している。ロック解除爪５２ｃはチャージレバー２２９の後幕ロック解除部２９ｈ（後述）と接触可能に配置されている。チャージレバー２９が反時計回りに回転すると、チャージレバー２９の後幕ロック解除部２９ｈが後幕ロックレバー５２のロック解除爪５２ｃと接触し、後幕ロックバネ５３の弾性力に逆らうようにチャージレバー２９を介して後幕ロックレバー５２がモータ４６により駆動される。このため、後幕ロックレバー５２が後幕ロックバネ５３の弾性力に逆らって時計方向に回転し、ロック爪５２ｂが後幕ロック部３９ｃから外れる。こうして、後幕駆動レバー３９のロックが解除される。
【００７２】
図７に示すように、後幕走行バネ３５（第２弾性部材の一例）は、後幕３１が開口部１１ａを覆う方向へ後幕３１を付勢している。具体的には、後幕３１が第２後幕位置Ｐ２２から第１後幕位置Ｐ２１へ移動するように後幕走行バネ３５は後幕駆動アーム３２を介して後幕３１に弾性力Ｆ２１を付与している。後幕走行バネ３５の弾性力Ｆ２１により後幕セットレバー３４には反時計回りの強い回転力が作用している。後幕セットレバー３４は後幕走行バネ３５の弾性力Ｆ２１を後幕駆動レバー３９に伝達可能に配置されている。したがって、例えば図７に示すように、後幕セットレバー当接部３４ａが後幕駆動レバー当接部３９ｂと接触している状態では、後幕走行バネ３５の弾性力Ｆ２１は後幕セットレバー３４を介して後幕駆動レバー３９に伝達される。つまり、後幕３１が第２後幕位置Ｐ２２に配置されている場合、後幕走行バネ３５は後幕駆動レバー３９に反時計回りの強い弾性力Ｆ２１を付与している。後幕走行バネ３５の弾性力Ｆ２１は後幕駆動レバー３９を介して後幕駆動アーム３２および後幕３１に伝達される。したがって、後幕走行バネ３５は後幕３１が開口部１１ａを覆う方向に後幕３１を付勢する。
【００７３】
ここで、後幕走行バネ３５が後幕駆動レバー３９に与える反時計回りの弾性力Ｆ２１は、後幕セットバネ５４が後幕駆動レバー３９に与える時計回りの弾性力Ｆ２２よりも強い。したがって、後幕３１に後幕セットバネ５４の弾性力Ｆ２２が作用している状態でも、後幕走行バネ３５の弾性力Ｆ２１により後幕３１が開口部１１ａを覆う方向へ走行させることができる。後幕３１が走行する際の力は、後幕走行バネ３５の弾性力Ｆ２１と後幕セットバネ５４の弾性力Ｆ２２との合力に相当する。
【００７４】
さらに、図７に示すように、後幕セットレバー３４の端部には後幕吸着片３４ｂが固定されている。後幕吸着片３４ｂは後幕用電磁石３６へ吸着可能に配置されている。後幕用電磁石３６に電力が供給されると、後幕用電磁石３６が磁力を発生する。このため、後幕吸着片３４ｂが後幕用電磁石３６に接触している状態で後幕用電磁石３６に電力が供給されると、後幕吸着片３４ｂは後幕用電磁石３６の磁力により後幕用電磁石３６に吸着される。後幕吸着片３４ｂと後幕用電磁石３６との間の吸着力は、後幕走行バネ３５の弾性力Ｆ２１に対抗できるだけの十分な大きさを有している。したがって、後幕吸着片３４ｂが後幕用電磁石３６に吸着されている状態では、後幕走行バネ３５の弾性力Ｆ２１が後幕セットレバー３４に作用していても、後幕セットレバー３４の位置が図９に示すチャージ位置に保たれる。
【００７５】
（２．２．３：チャージ機構１９４）
続いて、チャージ機構１９４について説明する。
【００７６】
チャージ機構１９４（チャージ機構の一例）は、先幕走行バネ２５の弾性力Ｆ１１に逆らう第１付勢力Ｆ１３および後幕走行バネ３５の弾性力Ｆ２１に逆らう第２付勢力Ｆ２３を先幕走行バネ２５および後幕走行バネ３５に付与可能に設けられている。具体的には図７に示すように、チャージ機構１９４は、先幕リンクレバー３７と、先幕連結アーム５０と、後幕リンクレバー３８と、後幕連結アーム５１と、チャージレバー２９と、欠歯ギヤ部２９ｅと、チャージレバー復帰バネ３０と、欠歯ギヤ４０と、遊星ギヤ４１と、遊星キャリア４２と、太陽ギヤ４３と、ウォームギヤ４４と、チャージレバー検知スイッチ４８と、を有している。
【００７７】
図１７（Ａ）に示すように、先幕連結アーム５０の第１端部５０ａは軸２４ｄを介して先幕セットレバー２４に回転可能に連結されている。軸２４ｄは先幕連結アーム５０の第１端部５０ａまたは先幕セットレバー２４に固定されている。図１７（Ｂ）に示すように、後幕連結アーム５１の第１端部５１ａは軸３４ｄを介して後幕セットレバー３４に回転可能に連結されている。軸３４ｄは後幕連結アーム５１の第１端部５１ａまたは後幕セットレバー３４に固定されている。
【００７８】
図１７（Ａ）に示すように、先幕連結アーム５０の第２端部５０ｂは軸３７ｃを介して先幕リンクレバー３７の第１端部３７ｄに回転可能に連結されている。軸３７ｃは先幕連結アーム５０の第２端部５０ｂまたは先幕リンクレバー３７の第１端部３７ｄに固定されている。図１７（Ｂ）に示すように、後幕連結アーム５１の第２端部５１ｂは軸３８ｃを介して後幕リンクレバー３８の第１端部３８ａに回転可能に連結されている。軸３８ｃは後幕連結アーム５１の第２端部５１ｂまたは後幕リンクレバー３８の第１端部３８ａに固定されている。先幕リンクレバー３７および後幕リンクレバー３８は回転軸３７ａにより回転可能に支持されている。回転軸３７ａはシャッタ地板１１に設けられている。
【００７９】
さらに、図１７（Ａ）に示すように、先幕リンクレバー３７の第２端部には、チャージレバー２９の先幕セットカム２９ｂと当接する先幕チャージレバーローラー３７ｂが回転可能に装着されている。図１７（Ｂ）に示すように、後幕リンクレバー３８には、チャージレバー２９の後幕セットカム２９ｃと当接する後幕チャージレバーローラー３８ｂが回転可能に装着されている。
【００８０】
モータ４６（アクチュエータの一例）は、先幕走行バネ２５へ付与される第１付勢力Ｆ１３および後幕走行バネ３５へ付与される第２付勢力Ｆ２３を発生する。具体的には、モータ４６は、先幕走行バネ２５への第１付勢力Ｆ１３の付与が開始される先幕チャージ開始位置（第１チャージ開始位置の一例）と、先幕チャージ開始位置と異なる位置であって後幕走行バネ３５への第２付勢力Ｆ２３の付与が開始される後幕チャージ開始位置（第２チャージ開始位置の一例）と、へチャージレバー２９を駆動可能である。さらに、モータ４６は、先幕走行バネ２５への第１付勢力Ｆ１３の付与が完了する先幕チャージ完了位置（第１チャージ完了位置の一例）と、先幕チャージ完了位置と異なる位置であって後幕走行バネ３５への第２付勢力Ｆ２３の付与が完了する後幕チャージ完了位置（第２チャージ完了位置の一例）と、へチャージレバー２９を駆動可能である。
【００８１】
後幕チャージ完了位置（図８および図９に示す位置）は、後幕チャージ開始位置（図６および図７に示す位置）と先幕チャージ完了位置（図１０および図１１に示す位置）との間に配置されている。モータ４６は、先幕チャージ完了位置に対して先幕チャージ開始位置（図７に示す位置と図９に示す位置との間の位置）と先幕走行待機位置（図１２および図１３に示す位置）へチャージレバー２９を駆動可能である。さらに、モータ４６は、チャージレバー２９の規制位置へチャージレバー２９を駆動可能である。本実施形態では、チャージレバー２９の規制位置は先幕チャージ完了位置（図１０および図１１に示す位置）と同じ位置である。チャージレバー２９がストッパ１１ｂと当接している原点位置は後幕チャージ開始位置と同じ位置である。
【００８２】
チャージレバー２９（チャージ部材の一例）は、先幕セットレバー２４を介して先幕走行バネ２５に第１付勢力Ｆ１３を伝達可能に配置されており、後幕セットレバー３４を介して後幕走行バネ３５に第２付勢力Ｆ２３を伝達可能に配置されている。具体的には図１９に示すように、チャージレバー２９は、先幕駆動レバー２８、先幕セットレバー２４および後幕セットレバー３４を駆動するために設けられており、回転軸２９ａと、先幕セットカム２９ｂと、後幕セットカム２９ｃと、先幕保持部２９ｄと、反転防止部２９ｄａと、後幕ロック解除部２９ｈ（後幕ロック解除部の一例）と、を有している。チャージレバー２９は回転軸２９ａを中心にシャッタ地板１１に対して回転可能に設けられている。
【００８３】
図７に示すように、先幕セットカム２９ｂ（先幕カム部の一例）は、先幕セットレバー２４と当接可能に配置されており、先幕セットレバー２４を時計回りに回転駆動する。より詳細には、先幕セットカム２９ｂは先幕リンクレバー３７の先幕チャージレバーローラー３７ｂと当接可能に配置されている。先幕セットカム２９ｂが先幕チャージレバーローラー３７ｂと当接した状態でチャージレバー２９が反時計回りに回転すると、先幕走行バネ２５の弾性力Ｆ１１に逆らいながら先幕リンクレバー３７が回転軸３７ａを中心に反時計回りに回転し、それに伴い先幕セットレバー２４が時計回りに回転する。先幕チャージレバーローラー３７ｂが先幕セットカム２９ｂの外周面２９ｆに達すると、先幕吸着片２４ｂと先幕用電磁石２６とが接触する。このように、先幕２１を走行させるための弾性力をチャージレバー２９により先幕走行バネ２５にチャージすることができる。チャージレバー２９が先幕チャージ完了位置にある場合に、先幕セットカム２９ｂは先幕チャージレバーローラー３７ｂと当接している。
【００８４】
また、後幕セットカム２９ｃは、後幕リンクレバー３８と当接可能に配置されており、後幕セットレバー３４を時計回りに回転駆動する。後幕セットカム２９ｃは後幕リンクレバー３８の後幕チャージレバーローラー３８ｂと当接可能に配置されている。後幕セットカム２９ｃが後幕チャージレバーローラー３８ｂと当接した状態でチャージレバー２９が反時計回りに回転すると、後幕走行バネ３５の弾性力Ｆ２１に逆らいながら後幕リンクレバー３８が反時計回りに回転し、それに伴い後幕セットレバー３４が時計回りに回転する。後幕チャージレバーローラー３８ｂが後幕セットカム２９ｃの外周面２９ｇに達すると、後幕吸着片３４ｂと後幕用電磁石３６とが接触する。このように、後幕３１を走行させるための付勢力をチャージレバー２９により後幕走行バネ３５にチャージすることができる。図９に示すように、チャージレバー２９が後幕チャージ完了位置にある場合に、後幕チャージレバーローラー３８ｂは後幕セットカム２９ｃと当接しており、後幕リンクレバー３８は後幕セットカム２９ｃにより図９に示す位置に保持されている。
【００８５】
先幕チャージレバーローラー３７ｂおよび後幕チャージレバーローラー３８ｂは図６および図７の紙面に垂直な方向に並んで配置されているので、図６および図７では、先幕チャージレバーローラー３７ｂおよび後幕チャージレバーローラー３８ｂがほぼ同じ位置に配置されているように見える。
【００８６】
ここで、図１１に示すように、先幕吸着片２４ｂと先幕用電磁石２６とが吸着可能な位置にある状態を先幕２１のチャージ完了状態とも言う。また、後幕吸着片３４ｂと後幕用電磁石３６とが吸着可能な位置にある状態を後幕３１のチャージ完了状態とも言う。先幕２１をチャージ完了状態にすることを、先幕２１をチャージするとも言う。さらに、後幕３１をチャージ完了状態にすることを、後幕３１をチャージするとも言う。
【００８７】
チャージレバー２９は先幕駆動レバー２８を介して先幕２１を第２先幕位置Ｐ１２に保持可能である。チャージレバー２９が先幕チャージ完了位置にある場合に、チャージレバー２９は、先幕駆動レバー２８を介して先幕２１を第２先幕位置Ｐ１２に保持する。具体的には、先幕保持部２９ｄ（先幕保持部の一例）は、先幕駆動レバー２８を介して先幕２１を第２先幕位置Ｐ１２で保持する。先幕駆動レバー２８は、先幕保持部２９ｄと当接可能に設けられた爪部２８ｃ（爪部の一例）を有している。チャージレバー２９が先幕チャージ開始位置から先幕チャージ完了位置まで回転する間、先幕保持部２９ｄは第２先幕位置Ｐ１２から第１先幕位置Ｐ１１へ先幕２１が移動する際の爪部２８ｃの移動領域内に入り込んでいる。したがって、先幕２１のチャージ開始から完了までの間、先幕保持部２９ｄは爪部２８ｃと当接可能となり、先幕駆動レバー２８の時計回りの回転がチャージレバー２９により規制される（例えば、図１１および図２０（Ｂ）参照）。これにより、先幕２１が開口部１１ａから退避した状態がチャージレバー２９により保たれる。つまり、チャージ機構１９４は、先幕走行バネ２５に第１付勢力Ｆ１３を付与している間、先幕２１を第２先幕位置Ｐ１２に保持することができる。
【００８８】
一方、チャージレバー２９が開放位置にある場合に、チャージレバー２９は、第２先幕位置Ｐ１２での先幕２１の保持を解除する。具体的には図１２および図１３に示すように、チャージレバー２９が開放位置にある場合に、先幕保持部２９ｄは爪部２８ｃの移動領域から退避している。この状態では、先幕保持部２９ｄは爪部２８ｃと当接しないので、先幕保持部２９ｄにより先幕駆動レバー２８の時計回りの回転が規制されない。
【００８９】
また、チャージレバー２９が規制位置（図１０および図１１に示す位置）にある場合に、先幕駆動レバー２８は、チャージレバー２９が原点位置（図６および図７に示す位置）に戻るのを規制する。具体的には、先幕保持部２９ｄは反転防止部２９ｄａを有している。反転防止部２９ｄａは段差を有している。反転防止部２９ｄａに爪部２８ｃの先端が引っかかっている状態では、チャージレバー２９は時計回りに回転するのを爪部２８ｃにより規制される。チャージレバー２９が規制位置にある場合に、爪部２８ｃが反転防止部２９ｄａに引っかかるようになっている。
【００９０】
後幕ロック解除部２９ｈは後幕ロックレバー５２による後幕駆動レバー３９の規制を解除するために設けられている。後幕ロック解除部２９ｈは、後幕ロックレバー５２のロック解除爪５２ｃと接触可能に配置されている。後幕ロック解除部２９ｈによりロック解除爪５２ｃが押されると、後幕ロックレバー５２が後幕ロックバネ５３の弾性力に逆らって時計方向に回転する（図３９（Ａ）および（Ｂ）参照）。これにより、後幕ロックレバー５２による先幕２１のロックか解除される。
【００９１】
欠歯ギヤ部２９ｅは、チャージレバー２９と一体回転可能に設けられている。チャージレバー２９と欠歯ギヤ部２９ｅとは、回転軸２９ａにより回転可能に支持されている。チャージレバー２９は、チャージレバー復帰バネ３０により時計回りへ付勢されている。チャージレバー復帰バネ３０（復帰弾性部材の一例）は、チャージレバー２９が第１付勢力Ｆ１３および第２付勢力Ｆ２３の付与を開始する前の原点位置に戻るようにチャージレバー２９に弾性力Ｆ３を付与する。シャッタ地板１１に設けられたストッパ１１ｂは、チャージレバー２９と当接し、チャージレバー２９がチャージレバー復帰バネ３０により回転するのを規制する。図６および図７に示すように、チャージレバー２９にチャージレバー復帰バネ３０の付勢力以外の力が働いていない状態では、チャージレバー２９はストッパ１１ｂと当接した原点位置に保持される。
【００９２】
欠歯ギヤ部２９ｅは、欠歯ギヤ４０と噛み合い可能である。欠歯ギヤ４０は、シャッタ地板１１により回転可能に支持されている。欠歯ギヤ４０は、段ギヤで構成されており、全周歯を有するギヤ部４０ａを有している。ギヤ部４０ａは遊星ギヤ４１と噛み合い可能である。
【００９３】
遊星ギヤ４１は遊星キャリア４２により回転可能に支持されている。遊星キャリア４２は、太陽ギヤ４３と同じ軸４３ｂを中心に、シャッタ地板１１により回転可能に支持されている。太陽ギヤ４３と遊星ギヤ４１とは噛み合っている。ここで、太陽ギヤ４３に適度な回転負荷を与えることによって、太陽ギヤ４３の回転方向に応じて、遊星キャリア４２および遊星ギヤ４１が軸４３ｂを中心に回転する。遊星ギヤ４１が軸４３ｂを中心に回転すると、遊星ギヤ４１が噛み合うギヤを欠歯ギヤ４０または連結ギヤ４７に切り替えることができる。
【００９４】
遊星キャリア４２は、第１回転規制部４２ａおよび第２回転規制部４２ｂを有している。第１回転規制部４２ａおよび第２回転規制部４２ｂは、それぞれ、シャッタ地板１１に設けられた第１ストッパ１１ｃおよび第２ストッパ１１ｄに当接する。これにより、シャッタ地板１１に対する遊星キャリア４２の回転が所定の範囲内に規制されている。
【００９５】
太陽ギヤ４３は、段ギヤで構成されており、ウォームギヤ４４と噛み合うウォームホイール４３ａを有している。ウォームギヤ４４はモータ４６の回転軸４６ａに固定されている。ウォームギヤ４４は、エンコーダ羽根４４ａを有している。エンコーダ羽根４４ａがフォトインタラプタ４５の光を遮断することによってモータ４６の回転量（駆動量）や速度を測定することが可能である。
【００９６】
チャージレバー検知スイッチ４８は、シャッタ地板１１に固定されており、チャージレバー２９の回転位置を検出する。より詳細には、チャージレバー検知スイッチ４８はチャージレバー２９が近接しているか否かを検出する。
【００９７】
（３：スリット露光撮影の動作）
次に、スリット露光撮影の動作について説明する。図２１に示すフローチャートは、スリット露光撮影のフローチャートである。図２３に示すタイムチャートは、スリット露光撮影の動作のタイミングを示すタイムチャートである。
【００９８】
（３．１：走行完了状態）
図６は、フォーカルプレーンシャッタ装置１９０の撮影終了状態、つまり、先幕２１および後幕３１の走行が完了した状態を示す。図７は、図６の要部拡大図である。
【００９９】
図６に示す走行完了状態では、先幕走行バネ２５の弾性力Ｆ１１により、先幕２１が開口部１１ａよりも上側に退避している。先幕２１が第２先幕位置Ｐ１２に配置されている状態では、先幕セットバネ２７の弾性力Ｆ１２と先幕走行バネ２５の弾性力Ｆ１１とによって、先幕セットレバー当接部２４ａと先幕駆動レバー当接部２８ｂが当接した状態で、先幕セットレバー２４と先幕駆動レバー２８とは反時計回りに回転した状態を保持している。また、後幕３１は、後幕走行バネ３５の弾性力Ｆ２１によって開口部１１ａを覆った状態を保っている。後幕走行バネ３５の弾性力Ｆ２１によって、後幕セットレバー当接部３４ａと後幕駆動レバー当接部３９ｂが当接した状態で、後幕セットレバー３４と後幕駆動レバー３９とは反時計回りに回転した状態を保持している。
【０１００】
（３．２：チャージ動作）
図８は、後幕３１のチャージが完了した状態の図である。図６に示す走行完了状態において、モータ４６へ通電が行われ、モータ４６によって太陽ギヤ４３が時計回りに回転される（ステップＳ１）。すると、遊星キャリア４２が回転負荷によって時計回りに回転し、第２回転規制部４２ｂが第２ストッパ１１ｄと当接する。その後、遊星ギヤ４１は反時計回りに回転し、さらに欠歯ギヤ４０を時計回りに回転させる。欠歯ギヤ４０に設けた欠歯部４０ｂは、チャージレバー２９に設けた欠歯ギヤ部２９ｅと噛み合い、欠歯ギヤ部２９ｅを反時計回りに回転させる。欠歯ギヤ部２９ｅと一体的に設けられたチャージレバー２９は、チャージレバー復帰バネ３０の弾性力Ｆ２３に逆らって反時計回りに回転する。
【０１０１】
ここで、モータ４６の通電と同時に、チャージレバー検知スイッチ４８によりチャージレバー２９が近接しているか否かの検出が開始される（ステップＳ２）。チャージレバー２９の回転が進みチャージレバー検知スイッチ４８によりチャージレバー２９が検出されると、フォトインタラプタ４５およびエンコーダ羽根４４ａを用いてモータ４６の駆動量の検出が開始される（ステップＳ３）。なお、ステップＳ１におけるモータ４６による駆動はフォーカルプレーンシャッタ装置１９０の状態が図８に示す状態から図１０に示す状態になるまで続行される。
【０１０２】
図６および図７に示す状態でチャージレバー２９が反時計回りに回転すると、後幕セットカム２９ｃにより後幕チャージレバーローラー３８ｂが押圧され、後幕リンクレバー３８が反時計回りに回転する。後幕リンクレバー３８が反時計回りに回転すると、後幕連結アーム５１を介して後幕セットレバー３４が時計回りに回転する。後幕セットレバー３４が時計回りに回転すると、後幕３１が第１後幕位置Ｐ２１から第２後幕位置Ｐ２２へ向かって移動し、後幕３１が開口部１１ａから退避する。後幕チャージレバーローラー３８ｂが後幕セットカム２９ｃの外周面２９ｇに達すると、後幕３１が第２後幕位置Ｐ２２に到達し、後幕吸着片３４ｂが後幕用電磁石３６へ押し付けられる（図８および図９参照）。後幕セットカム２９ｃの外周面２９ｇにより後幕セットレバー３４の位置が保持されるので、後幕走行バネ３５の弾性力Ｆ２１がチャージレバー２９に回転力として作用しない。
【０１０３】
同様に、チャージレバー２９が反時計回りに回転すると、先幕セットカム２９ｂにより先幕チャージレバーローラー３７ｂが押圧され、先幕リンクレバー３７が反時計回りに回転する。先幕リンクレバー３７が反時計回りに回転すると、先幕連結アーム５０を介して先幕セットレバー２４が時計回り回転する。先幕セットレバー２４が時計回りに回転すると、先幕２１が第１先幕位置Ｐ１１から第２先幕位置Ｐ１２へ向かって移動し、先幕２１が開口部１１ａから退避する。
【０１０４】
しかし、図８および図９に示す状態では、先幕チャージレバーローラー３７ｂが先幕セットカム２９ｂの外周面２９ｆまで到達していないので、先幕吸着片２４ｂは先幕用電磁石２６に押し付けられておらず、先幕用電磁石２６が先幕吸着片２４ｂを吸着可能な位置まで先幕吸着片２４ｂは回転していない。このように、先幕セットカム２９ｂおよび後幕セットカム２９ｃの形状は、後幕吸着片３４ｂと後幕用電磁石３６との接触が先幕吸着片２４ｂと先幕用電磁石２６との接触よりも先に行われるように、形成されている。
【０１０５】
後幕セットレバー３４が時計回りに回転するとき、後幕セットバネ５４の弾性力Ｆ２３によって後幕駆動レバー３９も同様に時計回りに回転しようとする。しかし、後幕ロック部３９ｃに後幕ロックレバー５２のロック爪５２ｂが引っかかっているため、後幕駆動レバー３９の時計回りの回転が後幕ロックレバー５２により規制される。したがって、後幕セットレバー３４だけが時計回りに回転する。後幕駆動レバー３９が回転しないので、上述のチャージ動作中、後幕３１は第２後幕位置Ｐ２２で保持され、後幕３１が開口部１１ａを遮蔽した状態が維持される。そのため、ＣＭＯＳイメージセンサー１１０からの画像データの読み出しと後幕３１のチャージとを並行して行うことが可能である。なお、本実施形態では、後幕３１のチャージ動作が完了するまで、後幕３１が開口部１１ａを遮蔽した状態が維持される。
【０１０６】
ＣＭＯＳイメージセンサー１１０からの読み出しが完了すると、モータ４６が太陽ギヤ４３をさらに回転駆動し、チャージレバー２９がさらに反時計回りに回転する。チャージレバー２９が反時計回りに回転すると、チャージレバー２９の後幕ロック解除部２９ｈが後幕ロックレバー５２のロック解除爪５２ｃと接触し、後幕ロックレバー５２が後幕ロックバネ５３の弾性力に逆らって時計方向に回転する。この結果、ロック爪５２ｂが後幕ロック部３９ｃから外れて、後幕駆動レバー３９のロックが解除される（図３９（Ａ）および（Ｂ）参照）。
【０１０７】
後幕駆動レバー３９のロックが解除されると、後幕駆動レバー３９は後幕セットバネ５４の弾性力Ｆ２２により、後幕セットレバー当接部３４ａと後幕駆動レバー当接部３９ｂが当接するまで時計回りに回転し、後幕３１が開口部１１ａから退避する。チャージ動作後も、後幕セットカム２９ｃと後幕チャージレバーローラー３８ｂとが当接しており、後幕３１は開口部１１ａから退避した状態を維持する。こうして、フォーカルプレーンシャッタ装置１９０は図１０および図１１に示す後幕チャージ完了状態になる。
【０１０８】
一方、チャージレバー２９が反時計回りに回転すると、やがて先幕チャージレバーローラー３７ｂが先幕セットカム２９ｂの外周面２９ｆに到達し、モータ４６によるチャージレバー２９の回転駆動が停止される（ステップＳ４）。先幕チャージレバーローラー３７ｂが先幕セットカム２９ｂの外周面２９ｆと当接している状態では、先幕吸着片２４ｂが先幕用電磁石２６へ押し付けられている。
【０１０９】
先幕セットレバー２４が時計回りに回転するとき、先幕セットバネ２７の弾性力Ｆ２２によって先幕駆動レバー２８も同様に時計回りに回転しようとする。しかし、チャージレバー２９が反時計回りに回転するとき、先幕保持部２９ｄが爪部２８ｃの回転軌跡（移動領域）内に入り込み、先幕保持部２９ｄが先幕駆動レバー２８の時計回りの回転を規制する。したがって、先幕セットレバー２４だけが時計回りに回転する。先幕駆動レバー２８が回転しないので、上述のチャージ動作中、先幕２１が開口部１１ａから退避した状態が維持される。チャージ動作後も、爪部２８ｃが先幕保持部２９ｄと当接しているので、先幕２１が開口部１１ａから退避した状態が維持される。このように、チャージ動作中およびチャージ完了後に、フォーカルプレーンシャッタ装置１９０は、開口部１１ａが開放された状態を機械的に維持可能である。
【０１１０】
図１０に示す状態では、被写体からの光がＣＭＯＳイメージセンサー１１０に導かれる。この状態は、ＣＭＯＳイメージセンサー１１０を露光した状態を維持したいときに特に有効である。たとえば、カメラ本体１００によってライブビュー機能による被写体観察やフレーミングを行ったり、動画撮影を行ったりする際に特に有効である。
【０１１１】
なお、カメラコントローラー１４０はモータ４６の駆動量に基づいてチャージレバー２９の回転位置を把握できる。カメラコントローラー１４０は、エンコーダ羽根４４ａおよびフォトインタラプタ４５によりモータ４６の回転量を把握することができ、さらに、チャージレバー検知スイッチ４８の検出結果に基づいてチャージレバー２９の原点位置を把握することができる。したがって、原点位置を基準としてチャージレバー２９の回転位置（後幕チャージ完了位置、規制位置および開放位置）をカメラコントローラー１４０は把握することができる。
【０１１２】
（３．３：モータの反転）
図１０および図１１に示す状態で、モータ４６を反転させると、太陽ギヤ４３が反時計回りに回転し、それに伴い遊星キャリア４２が軸４３ｂを中心に反時計回りに回転する。この結果、遊星キャリア４２の第１回転規制部４２ａが第１ストッパ１１ｃと当接する。第１回転規制部４２ａが第１ストッパ１１ｃと当接している位置では、遊星ギヤ４１が欠歯ギヤ４０ではなく連結ギヤ４７と噛み合うので、太陽ギヤ４３の回転が遊星ギヤ４１を介して連結ギヤ４７に伝達される。連結ギヤ４７を他の駆動部材に連結することで、連結ギヤ４７の回転を利用して他の駆動部材を駆動することも可能である。他の駆動部材としては、例えばフラッシュのポップアップが挙げられる。
【０１１３】
遊星ギヤ４１と欠歯ギヤ４０とが噛み合っているときは、ウォームギヤ４４のセルフロック機能によって太陽ギヤ４３および遊星ギヤ４１が回転せず、遊星ギヤ４１と噛み合っている欠歯ギヤ４０も回転しない。したがって、欠歯ギヤ４０が欠歯ギヤ部２９ｅと噛み合っていれば、チャージレバー２９は回転しない。
【０１１４】
しかし、遊星ギヤ４１が軸４３ｂを中心に反時計回りに回転すると、遊星ギヤ４１と欠歯ギヤ４０との噛み合いが外れる。したがって、ウォームギヤ４４のセルフロック機能が欠歯ギヤ４０およびチャージレバー２９に働かず、チャージレバー復帰バネ３０の弾性力Ｆ２２によりチャージレバー２９が時計回りに回転してしまう。チャージレバー２９が時計回りに回転すると、先幕セットレバー２４および後幕セットレバー３４も時計回りに回転し、先幕２１および後幕３１のチャージも解除されてしまう。
【０１１５】
そこで、図１０および図１１に示すように、チャージレバー２９の先幕保持部２９ｄに設けた反転防止部２９ｄａに爪部２８ｃの先端が引っかかっている。これにより、チャージレバー２９の時計回りの回転を規制することができ、チャージ完了状態を維持しつつ、モータ４６の逆回転を他の部材の駆動などに自由に利用することが可能となる。
【０１１６】
（３．４：スリット露光待機状態）
図１０に示す状態でユーザーによりレリーズ釦１３１が操作されると、カメラコントローラー１４０により測光等の必要な撮影情報が取得される。撮影情報の取得完了後、レリーズ動作が開始される。
【０１１７】
具体的には、先幕２１および後幕３１のチャージ完了状態を維持するために、図２１に示すように、レリーズ釦１３１が押されると、モータ４６が駆動される前に、先幕用電磁石２６および後幕用電磁石３６に給電が開始される（ステップＳ５、Ｓ６）。この結果、先幕吸着片２４ｂが先幕用電磁石２６に吸着され、後幕吸着片３４ｂが後幕用電磁石３６に吸着される。したがって、先幕セットレバー２４および後幕セットレバー３４が反時計回りに回転可能になっても、先幕セットレバー２４および後幕セットレバー３４はチャージ位置に保持される。
【０１１８】
先幕用電磁石２６および後幕用電磁石３６に給電が開始された後、カメラコントローラー１４０によりモータ４６が所定の駆動量だけ駆動される（ステップＳ７、Ｓ８、Ｓ９）。具体的には、モータ４６により太陽ギヤ４３が時計回りに回転駆動されると、チャージレバー２９が反時計回りに回転する。チャージレバー２９が反時計回りに回転すると、欠歯ギヤ４０と欠歯ギヤ部２９ｅとの噛み合いが外れる前に、チャージレバー２９の先幕保持部２９ｄが先幕駆動レバー２８の爪部２８ｃの移動領域から退避して、先幕保持部２９ｄと爪部２８ｃとの当接が解除される。このため、先幕セットバネ２７の弾性力Ｆ１２により先幕駆動レバー２８が時計回りに回転し、先幕２１が第２先幕位置Ｐ１２から第１先幕位置Ｐ１１へ走行する。先幕セットレバー当接部２４ａに先幕駆動レバー当接部２８ｂが当接すると、先幕駆動レバー２８の回転は停止し、先幕２１は第１先幕位置Ｐ１１で停止する。したがって、図１０に示すように、先幕２１により開口部１１ａが遮蔽される。
【０１１９】
チャージレバー２９が反時計回りに回転すると、欠歯ギヤ４０とチャージレバー２９の欠歯ギヤ部２９ｅとの噛み合いが外れる。欠歯ギヤ４０と欠歯ギヤ部２９ｅの噛み合いが外れると、チャージレバー復帰バネ３０の弾性力Ｆ２３によりチャージレバー２９が時計回りに回転し、先幕チャージレバーローラー３７ｂと先幕セットカム２９ｂとの当接が解除される。先幕チャージレバーローラー３７ｂと先幕セットカム２９ｂとの当接が解除されると、先幕セットレバー２４は先幕走行バネ２５の弾性力Ｆ１１により反時計回りに回転可能となる。また、チャージレバー復帰バネ３０の弾性力Ｆ２３によりチャージレバー２９が時計回りに回転すると、後幕チャージレバーローラー３８ｂと後幕セットカム２９ｃとの当接が解除される。後幕チャージレバーローラー３８ｂと後幕セットカム２９ｃとの当接が解除されると、後幕セットレバー３４が後幕走行バネ３５の弾性力Ｆ２１により反時計回りに回転可能となる。
【０１２０】
しかし、前述のように、モータ４６の駆動が開始される前に先幕用電磁石２６および後幕用電磁石３６に給電を開始しているので、先幕セットレバー２４および後幕セットレバー３４が反時計回りに回転可能になっても、先幕セットレバー２４および後幕セットレバー３４はチャージ位置に保持される。つまり、先幕２１および後幕３１のチャージ完了状態を維持することができる。
【０１２１】
こうして、フォーカルプレーンシャッタ装置１９０の状態が図１０に示す状態から図１２に示すスリット露光待機状態に移行する。図１２に示す状態では、先幕２１および後幕３１のチャージ完了状態を維持しつつ先幕２１により開口部１１ａが遮蔽されている。
【０１２２】
（３．５：スリット露光）
その後、カメラコントローラー１４０からのレリーズ指令に基づいて先幕用電磁石２６への給電が停止される（ステップＳ１０）。すると、先幕セットレバー２４が先幕走行バネ２５の弾性力Ｆ１１により反時計回りに回転する。このとき、先幕駆動レバー当接部２８ｂが先幕セットレバー当接部２４ａに押されるので、先幕駆動レバー２８は先幕セットレバー２４と反時計回りに一体回転し、先幕２１が第１先幕位置Ｐ１１から第２先幕位置Ｐ１２へ走行する。この結果、開口部１１ａを通ってＣＭＯＳイメージセンサー１１０に光が入射し、ＣＭＯＳイメージセンサー１１０の露光が開始される。
【０１２３】
その一方で、先幕用電磁石２６の給電停止から予め設定された露光時間が経過した後に、後幕用電磁石３６の給電が停止される（ステップＳ１１、Ｓ１２）。露光時間はカメラコントローラー１４０により露出情報等に基づいて設定される。後幕用電磁石３６への給電が停止されると、後幕走行バネ３５の弾性力Ｆ２１により後幕セットレバー３４が反時計回りに回転し、後幕３１が第２後幕位置Ｐ２２から第１後幕位置Ｐ２１へ走行する。この結果、後幕３１により開口部１１ａの下方から順に開口部１１ａが遮蔽される。このとき、先幕２１と後幕３１との間にはスリットが形成され、このスリットが開口部１１ａの下側から上側へ移動する。このため、ＣＭＯＳイメージセンサー１１０はこのスリットを通って入射する光によって露光される。このようなスリットによる露光動作をスリット露光撮影という。先幕２１および後幕３１の走行が完了すると、フォーカルプレーンシャッタ装置１９０の状態は図６に示す状態となる。チャージ動作が行われと、フォーカルプレーンシャッタ装置１９０の状態は図８に示す状態となり、次の撮影に備える。
【０１２４】
このように、チャージと読み出しとを並行して行うことで、次の撮影への準備時間を短くすることが出来る。これにより、例えば、連続撮影の間隔を小さくすることができ、高速な連射が可能になる。
【０１２５】
なお、後幕３１の走行が完了したとき、図６に示すように、後幕ロックレバー５２のロック爪５２ｂが後幕ロック部３９ｃに引っかかり、後幕ロックレバー５２により後幕３１が第１後幕位置Ｐ２１でロックされる。
【０１２６】
（４：電子先幕撮影の動作）
次に、電子先幕撮影の動作について説明する。図１７に示すフローチャートは、電子先幕撮影のフローチャートである。図１９に示すタイムチャートは、電子先幕撮影の動作のタイミングを示すタイムチャートである。
【０１２７】
（４．１：走行完了状態）
電子先幕撮影の動作の終了状態は、上述のスリット露光撮影の終了状態と同じである。つまり、図６は、電子先幕撮影によって後幕３１の走行が完了した状態を示す。
【０１２８】
（４．２チャージ動作）
図１４および図１５は電子先幕撮影のために後幕３１のみチャージが完了した状態を示している。スリット露光撮影の際のチャージ動作と同様に、図６に示す走行完了状態でモータ４６への通電が行われ、太陽ギヤ４３が時計回りに回転する（ステップＳ２１）。太陽ギヤ４３が時計回りに回転すると、チャージレバー２９が反時計回りに回転する。
【０１２９】
図６に示す状態から図８に示す状態までのフォーカルプレーンシャッタ装置１９０の動作は、スリット露光撮影のときと同様である。具体的には、モータ４６の通電と同時に、チャージレバー検知スイッチ４８によりチャージレバー２９が近接しているか否かの検出が開始される（ステップＳ２２）。チャージレバー２９の回転が進みチャージレバー検知スイッチ４８によりチャージレバー２９が検出されると、フォトインタラプタ４５およびエンコーダ羽根４４ａを用いてモータ４６の駆動量の検出が開始される（ステップＳ２３）。モータ４６によりチャージレバー２９が反時計回りに回転駆動されると、後幕３１のチャージが開始され、その後、先幕２１のチャージが開始される。スリット露光撮影のときと同様に、ＣＭＯＳイメージセンサー１１０からの画像データの読み出しと後幕３１のチャージとが並行して行われる。図８に示す位置までチャージレバー２９がモータ４６により駆動されると、カメラコントローラー１４０がモータ４６を停止する（ステップＳ２４）。図８に示す状態では、チャージレバー２９の後幕ロック解除部２９ｈは後幕ロックレバー５２のロック解除爪５２ｃに接触していないので、後幕３１のロック状態が維持されている。
【０１３０】
ＣＭＯＳイメージセンサー１１０からの画像データの読み出しが完了すると、モータ４６によるチャージレバー２９の駆動が再び開始され、チャージレバー２９がさらに反時計回りに回転する（ステップＳ２５、Ｓ２６）。図８に示す位置からチャージレバー２９が反時計回りに回転すると、チャージレバー２９の後幕ロック解除部２９ｈが後幕ロックレバー５２のロック解除爪５２ｃと接触する。後幕ロック解除部２９ｈによりロック解除爪５２ｃが押されると、後幕ロックレバー５２が後幕ロックバネ５３の弾性力Ｆ２４に逆らって時計方向に回転する。この結果、ロック爪５２ｂが後幕ロック部３９ｃから外れて、後幕駆動レバー３９のロックが解除される。後幕駆動レバー３９のロックが解除されると、後幕セットバネ５４の弾性力Ｆ２２により、後幕３１が第１後幕位置Ｐ２１から第２後幕位置Ｐ２２へ移動し、後幕３１が開口部１１ａから退避した状態が維持される。この状態を、電子先幕撮影のチャージ完了状態とも呼ぶ。
【０１３１】
後幕３１のロック解除後、チャージレバー２９が図１０に示す位置よりも少し手前で停止する（ステップＳ２７、Ｓ２８）。チャージレバー２９が図１０に示す位置よりも少し手前で停止すると、図１０に示す状態と異なり、先幕保持部２９ｄに設けた反転防止部２９ｄａに爪部２８ｃの先端が引っかからない。この状態では、ウォームギヤ４４のセルフロック機能のみにより、チャージレバー復帰バネ３０の弾性力Ｆ２３によるチャージレバー２９の時計回りの回転が規制されている。
【０１３２】
なお、チャージレバー２９が図１０に示す位置よりも少し手前で停止するので、電子先幕撮影のチャージ動作時は、フォーカルプレーンシャッタ装置１９０は図１０に示す状態にならない。
【０１３３】
電子先幕撮影のチャージ完了状態では、先幕保持部２９ｄが爪部２８ｃの回転軌跡（移動領域）内に入り込んでいるので、爪部２８ｃが先幕保持部２９ｄと当接している。これにより、先幕２１が開口部１１ａから退避した状態が維持される。このように、フォーカルプレーンシャッタ装置１９０では、開口部１１ａを開いた状態を機械的に維持可能である。つまり、フォーカルプレーンシャッタ装置１９０は、いわゆるノーマリーオープンの機能を有している。
【０１３４】
先幕２１が開口部１１ａから退避した状態が維持されるので、電子先幕撮影のチャージ完了状態では、被写体からの光がＣＭＯＳイメージセンサー１１０に導かれる。この状態は、ＣＭＯＳイメージセンサー１１０を露光した状態を維持したいときに特に有効である。たとえば、カメラ本体１００によってライブビュー機能による被写体観察やフレーミングを行ったり、動画撮影を行ったりする際に特に有効である。
【０１３５】
（４．３：電子先幕撮影待機状態）
ユーザーによりレリーズ釦１３１が操作されると、カメラコントローラー１４０により測光等の必要な撮影情報が取得される。撮影情報の取得完了後、レリーズ動作が開始される。レリーズ動作が開始されると、フォーカルプレーンシャッタ装置１９０は図１４に示す電子先幕撮影待機状態に移行する。
【０１３６】
具体的には、ユーザーによりレリーズ釦１３１が操作されると、カメラコントローラー１４０によりモータ４６が反転駆動され、遊星ギヤ４１と欠歯ギヤ４０との噛み合いが解除される（ステップＳ２９、Ｓ３０）。この結果、ウォームギヤ４４のセルフロック機能がチャージレバー２９に働かなくなり、チャージレバー復帰バネ３０の弾性力Ｆ２３により、チャージレバー２９の当接部２９ｋがストッパ１１ｂに当接するまで時計回りに回転する。
【０１３７】
チャージレバー２９の当接部２９ｋがストッパ１１ｂに当接している状態では、チャージレバー２９の先幕保持部２９ｄと先幕駆動レバー２８の爪部２８ｃとの当接が解除されるので、先幕２１が第２先幕位置Ｐ１２から第１先幕位置Ｐ１１へ移動しようとする。しかし、先幕チャージレバーローラー３７ｂと先幕セットカム２９ｂとの当接も解除されるので、先幕セットレバー２４は先幕走行バネ２５の弾性力Ｆ１１により反時計回りに回転する。この結果、先幕セットレバー２４により先幕駆動レバー２８が反時計回りに押されて、先幕２１が開口部１１ａから退避した状態が維持される。
【０１３８】
一方、チャージレバー２９の当接部２９ｋがストッパ１１ｂに当接している状態では、後幕チャージレバーローラー３８ｂと後幕セットカム２９ｃとの当接が解除されるが、後幕チャージレバーローラー３８ｂと後幕セットカム２９ｃとの当接が解除される前に、後幕用電磁石３６に給電が開始される（ステップＳ３０）。この結果、後幕吸着片３４ｂが後幕用電磁石３６により吸着され、図１４に示すように、後幕セットレバー３４のチャージ状態が維持される。電子先幕撮影では、先幕２１を使用しないため、先幕用電磁石２６には給電する必要が無く、省電効果も期待できる。
【０１３９】
レリーズ釦１３１の操作から所定時間経過後、モータ４６が停止する（ステップＳ３１、Ｓ３２）。
【０１４０】
上述のように、チャージ動作から電子先幕撮影待機状態に至るまで、先幕２１は開口部１１ａから退避した状態を維持し、先幕２１はほとんど動くことが無い。したがって、先幕２１の駆動時間待ちやバウンドの収束待ち等の必要がなくなり、モータ４６および後幕用電磁石３６への給電とほぼ同時に、ＣＭＯＳイメージセンサー１１０による電子先幕撮影を開始させることが可能となる。これにより、レリーズタイムラグを非常に短くすることができる。
【０１４１】
（４．４：電子先幕露光）
その後、カメラコントローラー１４０からのレリーズ指令により、ＣＭＯＳイメージセンサー１１０の下方のラインの画素から、電荷のリセットおよび電荷の蓄積の開始が行われる（ステップＳ３３）。電荷のリセットは、順次、下方のラインから上方のラインにかけて行われる。続いて、電荷のリセットおよび電荷の蓄積の開始がされた後、設定された露光時間後に、後幕用電磁石３６の給電が停止される（ステップＳ３４、Ｓ３５）。露光時間はカメラコントローラー１４０により露出情報に基づいて設定される。
【０１４２】
後幕用電磁石３６への給電が停止すると、後幕セットレバー３４が反時計回りに回転可能となるので、後幕セットレバー３４が後幕走行バネ３５の弾性力Ｆ２１により反時計回りに回転する。後幕セットレバー当接部３４ａが後幕駆動レバー３９と当接しているので、後幕セットレバー３４が反時計回りに回転すると、後幕駆動レバー３９も後幕セットレバー３４とともに一体回転する。この結果、後幕３１が第２後幕位置Ｐ２２から第１後幕位置Ｐ２１へ走行し、開口部１１ａの下方から開口部１１ａが遮蔽されていく。電荷がリセットされてから後幕３１によって入射光が遮蔽されるまでの間、ＣＭＯＳイメージセンサー１１０は露光される。このように後幕３１の走行と同調してＣＭＯＳイメージセンサー１１０を駆動し露光領域を走査させる露光動作を、電子先幕撮影という。後幕３１の走行が完了すると、フォーカルプレーンシャッタ装置１９０は再び図６に示す状態となる。チャージ動作が再び行われると、フォーカルプレーンシャッタ装置１９０は図８に示す状態となる。後幕３１のチャージ動作と並行して、カメラコントローラー１４０は、取得した画像データの読み出しを行うようにＣＭＯＳイメージセンサー１１０を制御する。画像データの読み出し完了後、電子先幕撮影のチャージ完了状態に移行し、次の撮影に備える。
【０１４３】
このように、チャージと読み出しとを並行して行うことで、次の撮影への準備時間を短くすることが出来る。これにより、例えば、連続撮影の間隔を小さくすることができ、高速な連射が可能になる。
【０１４４】
＜第２実施形態＞
前述の第１実施形態では、先幕２１のロック機構をチャージレバー２９の先幕保持部２９ｄおよび先幕駆動レバー２８の爪部２８ｃで実現しているが、後幕３１と同様に、チャージレバー２９とは別の部材で先幕２１のロック機構を実現してもよい。
【０１４５】
なお、以降の説明では、前述の第１実施形態の構成と実質的に同じ機能を有する構成については、同じ符号を使用し、その詳細な説明は省略する場合もある。
【０１４６】
（１：フォーカルプレーンシャッタ装置２９０の構成） 
図２５から図３８（Ｂ）を用いて、第２実施形態に係るフォーカルプレーンシャッタ装置２９０を説明する。
【０１４７】
フォーカルプレーンシャッタ装置２９０は、開口部開閉機構１９１と、駆動ユニット２９９と、を有している。駆動ユニット２９９は、先幕駆動機構２９２と、後幕駆動機構２９３と、チャージ機構２９４と、を有している。
【０１４８】
（１．１：開口部開閉機構１９１） 
図２５に示すように、第２実施形態に係る開口部開閉機構１９１は、第１実施形態に係る開口部開閉機構１９１と実質的に同じ構成を有しているので、詳細な説明は省略する。
【０１４９】
（１．２：先幕駆動機構２９２）
続いて、先幕２１を駆動するための先幕駆動機構２９２について説明する。
【０１５０】
図２５および図２６に示すように、先幕駆動機構２９２は、先幕駆動レバー２８と、先幕セットバネ２７と、チャージレバー２９と、先幕セットレバー２４と、先幕走行バネ２５と、先幕用電磁石２６と、リターンロックレバー１３７と、を有している。
【０１５１】
先幕駆動レバー２８（先幕駆動部材の一例）は、第１先幕位置Ｐ１１および第２先幕位置Ｐ１２の間を移動可能に先幕２１をシャッタ地板１１に連結している。図３５（Ａ）に示すように、先幕駆動レバー２８は駆動連結ピン２８ａを有している。図２５に示すように、先幕駆動アーム２２は連結穴２２ｅを有している。連結穴２２ｅには、駆動連結ピン２８ａが挿入されている。先幕駆動レバー２８は、先幕駆動アーム２２と同様に、回転軸２２ａを中心に回転可能に回転軸２２ａにより支持されている。先幕駆動アーム２２と先幕駆動レバー２８とは、回転軸２２ａを中心に一体回転可能となっている。
【０１５２】
先幕セットバネ２７（第３弾性部材の一例）は先幕２１が開口部１１ａを覆う方向へ先幕駆動レバー２８を付勢している。具体的には図２６に示すように、先幕２１が第１先幕位置Ｐ１１から第２先幕位置Ｐ１２へ移動するように先幕セットバネ２７は先幕２１に弾性力Ｆ１２を付与している。先幕セットバネ２７の弾性力Ｆ１２は先幕走行バネ２５の弾性力Ｆ１１よりも小さい。先幕セットバネ２７は先幕従動アーム２３に引っかけられているので、先幕セットバネ２７の弾性力Ｆ１２は先幕駆動アーム２２に作用している。本実施形態では、先幕セットバネ２７は、先幕駆動レバー２８に時計回りの回転力を与えている。
【０１５３】
図３５（Ａ）に示すように、先幕駆動レバー２８は先幕駆動レバー当接部２８ｂを有している。図３６（Ａ）に示すように、先幕セットレバー２４は先幕セットレバー当接部２４ａを有している。図２６に示すように、先幕駆動レバー当接部２８ｂは先幕セットレバー当接部２４ａと当接する。先幕セットレバー２４は、先幕駆動レバー２８と同様に、回転軸２２ａを中心に回転可能に回転軸２２ａにより支持されている。先幕セットレバー２４が反時計回りに回転すると、先幕セットレバー当接部２４ａにより先幕駆動レバー当接部２８ｂが押され、先幕駆動レバー２８が反時計回りに回転する。第１先幕位置Ｐ１１から第２先幕位置Ｐ１２へ先幕２１が移動する際、先幕セットレバー２４は、先幕駆動レバー２８を介して先幕走行バネ２５の弾性力Ｆ１１を先幕２１に伝達する。つまり、チャージ機構１９４は、先幕走行バネ２５に第１付勢力Ｆ１３を付与する際、先幕セットレバー２４を介して先幕走行バネ２５に第１付勢力Ｆ１３を付与する。
【０１５４】
また、先幕セットバネ２７の弾性力Ｆ１２により先幕駆動レバー２８には時計回りに回転力が付与されている。このため、先幕セットレバー当接部２４ａと先幕駆動レバー当接部２８ｂとが接触している。先幕セットレバー２４はストッパ（図示せず）により反時計回りの回転が図６に示す位置で規制されている。このため、先幕セットレバー２４および先幕駆動レバー２８が一体となって反時計回りに回転すると、先幕セットレバー２４および先幕駆動レバー２８が図６に示す位置で停止する。先幕走行バネ２５の弾性力Ｆ１１により先幕セットレバー２４および先幕駆動レバー２８は図６に示す位置を保つ。つまり、先幕駆動レバー２８は先幕セットレバー２４を介して先幕走行バネ２５の弾性力Ｆ１１を先幕２１に伝達することができる。
【０１５５】
一方で、先幕セットレバー２４が時計回りに回転しても、先幕セットレバー当接部２４ａは先幕駆動レバー当接部２８ｂと接触しないので、先幕セットレバー２４が時計回りに回転する場合、先幕セットレバー２４は先幕駆動レバー２８と独立して回転する。したがって、チャージ機構１９４が先幕走行バネ２５に第１付勢力Ｆ１３を付与する際、先幕セットレバー２４は、先幕駆動レバー２８を介さずに先幕走行バネ２５に第１付勢力Ｆ１３を付与する。
【０１５６】
図２６に示すように、先幕走行バネ２５（第１弾性部材の一例）は先幕セットレバー２４に反時計回りの強い弾性力Ｆ１１を常に付与している。具体的には、先幕２１が第１先幕位置Ｐ１１から第２先幕位置Ｐ１２へ移動するように後幕走行バネ３５は先幕２１に弾性力Ｆ１１を付与している。先幕走行バネ２５の弾性力Ｆ１１により先幕セットレバー２４には反時計回りの回転力が作用している。先幕セットレバー２４は先幕走行バネ２５の弾性力Ｆ１１を先幕駆動レバー２８に伝達可能に配置されている。したがって、例えば図６に示すように、先幕セットレバー当接部２４ａと先幕駆動レバー当接部２８ｂとが接触している状態では、先幕走行バネ２５の弾性力Ｆ１１は先幕駆動レバー２８に伝達される。つまり、先幕２１が第１先幕位置Ｐ１１に配置されている場合、先幕走行バネ２５は先幕駆動レバー２８に反時計回りの強い弾性力Ｆ１１を付与している。先幕走行バネ２５の弾性力Ｆ１１は先幕駆動レバー２８を介して先幕駆動アーム２２および先幕２１にも伝達される。したがって、先幕走行バネ２５は先幕２１が開口部１１ａから退避する方向に先幕２１を付勢する。
【０１５７】
ここで、先幕走行バネ２５が先幕駆動レバー２８に与える反時計回りの弾性力Ｆ１１は、先幕セットバネ２７が先幕駆動レバー２８に与える時計回りの弾性力Ｆ１２よりも強い。したがって、先幕２１に先幕セットバネ２７の弾性力Ｆ１２が作用している状態でも、先幕走行バネ２５の弾性力Ｆ１１により先幕２１が開口部１１ａから退避する方向へ走行させることができる。先幕２１が走行する際の力は、先幕走行バネ２５の弾性力Ｆ１１と先幕セットバネ２７の弾性力Ｆ１２との合力に相当する。
【０１５８】
さらに、図２６に示すように、先幕セットレバー２４の端部には先幕吸着片２４ｂが固定されている。先幕吸着片２４ｂは先幕用電磁石２６に吸着可能に配置されている。先幕用電磁石２６に電力が供給されると、先幕用電磁石２６が磁力を発生する。このため、先幕吸着片２４ｂが後幕用電磁石３６の近くに配置されている状態で先幕用電磁石２６に電力が供給されると、先幕吸着片２４ｂは先幕用電磁石２６の磁力により先幕用電磁石２６に吸着される。先幕吸着片２４ｂと先幕用電磁石２６との間の吸着力は、先幕走行バネ２５の弾性力Ｆ１１に対抗できるだけの十分な大きさを有している。したがって、先幕吸着片２４ｂが先幕用電磁石２６に吸着されている状態では、先幕走行バネ２５の弾性力Ｆ１１が先幕セットレバー２４に作用していても、先幕セットレバー２４の位置が図９に示すチャージ位置に保たれる。
【０１５９】
図３６（Ａ）に示すように、先幕セットレバー２４は先幕セットレバーローラー２４ｃを回転可能に支持している。図３７（Ａ）および（Ｂ）に示すように、チャージレバー２９は先幕セットカム２２９ｂ（先幕カム部の一例）を有している。図２６に示すように、先幕セットレバーローラー２４ｃは先幕セットカム２２９ｂと当接可能に配置されている。
【０１６０】
ここで、このフォーカルプレーンシャッタ装置２９０では、先幕２１が開口部１１ａから退避している状態を先幕ロックレバー２５３により保持される。具体的には、先幕ロックレバー２５３は、先幕２１が第２先幕位置Ｐ１２から第１先幕位置Ｐ１１へ移動する際に先幕駆動レバー２８の移動を規制可能に設けられており、シャッタ地板１１により回転可能に支持されている。先幕ロックバネ２５５（先幕ロック弾性部材の一例）は、先幕ロックレバー２５３が先幕駆動レバー２８の移動を規制した状態を保つように先幕ロックレバー２５３に弾性力を付与しており、先幕ロックレバー２５３に反時計回りの回転力を付与している。先幕ロックレバー２５３は先幕ロック爪２５３ｂを有している。先幕２１が第２先幕位置Ｐ１２に配置されている状態で、先幕ロック爪２５３ｂは先幕駆動レバー２８の先幕ロック部２２８ｅに引っかかっている。先幕ロック部２２８ｅは段差を有しており、この段差に先幕ロック爪２５３ｂは引っかかる。
【０１６１】
さらに、このフォーカルプレーンシャッタ装置２９０では、先幕ロックレバー２５３による先幕２１のロックを解除することもできる。具体的には図３５（Ａ）に示すように、先幕ロックレバー２５３はロック解除爪２５３ｃを有している。先幕ロックレバー２５３はチャージレバー２２９の先幕ロック解除部２２９ｙと接触可能に配置されている。チャージレバー２２９が反時計回りに回転すると、ロック解除爪２５３ｃに先幕ロック解除部２２９ｙが接触し、先幕ロックバネ２５５の弾性力に逆らうようにチャージレバー２９を介して先幕ロックレバー２５３がモータ４６により駆動される。この結果、先幕ロックレバー２５３が時計回りに回転して、先幕ロック爪２５３ｂが先幕駆動レバー２８の先幕ロック部２２８ｅから外れる。先幕ロック爪２５３ｂが先幕ロック部２２８ｅから外れると、先幕セットバネ２７の弾性力Ｆ１２により先幕駆動レバー２８が時計回りに回転し、先幕２１が第２先幕位置Ｐ１２から第１先幕位置Ｐ１１に走行する。
【０１６２】
このように、先幕２１を第２先幕位置Ｐ１２で機械的に保持することができ、さらに、チャージレバー２２９を用いて先幕２１のロックを解除することができる。
【０１６３】
また、このフォーカルプレーンシャッタ装置２９０では、チャージレバー２２９の回転を規制することができる。具体的には、先幕駆動レバー２８はリターンロック解除突起２２８ｃを有している。リターンロック解除突起２２８ｃはリターンロックレバー２３７の被駆動突起２３７ｂと接触可能に配置されている。より詳細には、先幕２１が第２先幕位置Ｐ１２から第１先幕位置Ｐ１１へ走行する際に、リターンロック解除突起２２８ｃは被駆動突起２３７ｂと接触する。リターンロック解除突起２２８ｃにより被駆動突起２３７ｂが押されると、リターンロックレバー２３７が反時計回りに回転する（図３８（Ａ）および（Ｂ）参照）。
【０１６４】
図２６に示すように、リターンロックレバー２３７は軸２３７ａを介してシャッタ地板１１により回転可能に支持されている。リターンロックバネ２５４はリターンロックレバー２３７に時計回りの回転力を付与している。図３７（Ａ）および（Ｂ）に示すように、リターンロックレバー２３７はロック爪２３７ｃを有している。ロック爪２３７ｃはチャージレバー２２９の時計回りの回転を規制する。ロック爪２３７ｃはチャージレバー２２９の反転防止部２２９ｘに引っかかるようになっている。図３０に示す状態では、リターンロックバネ２５４の弾性力によりロック爪２３７ｃは反転防止部２２９ｘに嵌りこんでいる（図３０および図３８（Ａ）参照）。この状態でリターンロック解除突起２２８ｃにより被駆動突起２３７ｂが押されると、リターンロックレバー２３７が反時計回りに回転し、ロック爪２３７ｃが反転防止部２２９ｘから外れる（図３２および図３８（Ｂ）参照）。これにより、チャージレバー２２９が時計回りに回転可能となる。
【０１６５】
一方、図２６および図２８に示す状態では、リターンロックレバー２３７はチャージレバー２２９の外周面に当接しているだけであるため、リターンロックレバー２３７によるチャージレバー２２９の回転規制は行われない。
【０１６６】
（１．３：後幕駆動機構２９３）
続いて、後幕３１を駆動するための後幕駆動機構２９３について説明する。
【０１６７】
図２５および図２６に示すように、後幕駆動機構２９３は、後幕駆動レバー３９と、後幕セットレバー３４と、後幕走行バネ３５と、後幕ロックレバー５２と、を有している。
【０１６８】
後幕駆動レバー３９は、第１後幕位置Ｐ２１および第２後幕位置Ｐ２２の間を移動可能にシャッタ地板１１に後幕３１を連結している。図３５（Ｂ）に示すように、後幕駆動レバー３９は後幕駆動レバー連結ピン３９ａを有している。図２５に示すように、後幕駆動アーム３２は後幕駆動アーム連結穴３２ｅを有している。後幕駆動アーム連結穴３２ｅには後幕駆動レバー連結ピン３９ａが挿入されている。後幕駆動レバー３９および後幕駆動アーム３２は、回転軸３２ａを中心に回転可能に回転軸３２ａにより支持されている。後幕駆動アーム３２と後幕駆動レバー３９とは、回転軸３２ａを中心に一体的に回転可能となっている。
【０１６９】
後幕セットバネ５４は後幕３１が開口部１１ａから退避する方向へ後幕駆動レバー３９を付勢している。具体的には図２６に示すように、後幕３１が第１後幕位置Ｐ２１から第２後幕位置Ｐ２２へ移動するように後幕セットバネ５４は後幕３１に弾性力Ｆ２２を付与している。後幕セットバネ５４の弾性力Ｆ２２は後幕走行バネ３５の弾性力Ｆ２１よりも小さい。後幕セットバネ５４の弾性力Ｆ２２は後幕駆動アーム３２および後幕従動アーム３３へ伝達されている。この結果、後幕セットバネ５４は後幕駆動レバー３９に時計回りの弾性力Ｆ２２を与えている。
【０１７０】
図３５（Ｂ）に示すように、後幕駆動レバー３９は後幕駆動レバー当接部３９ｂを有している。図３６（Ｂ）に示すように、後幕セットレバー３４は後幕セットレバー当接部３４ａを有している。図２６に示すように、後幕駆動レバー当接部３９ｂは後幕セットレバー当接部３４ａと当接する。後幕セットレバー３４は、後幕駆動レバー３９と同様に、回転軸３２ａを中心に回転可能に回転軸３２ａにより支持されている。後幕セットレバー３４が反時計回りに回転すると、後幕セットレバー当接部３４ａにより後幕駆動レバー当接部３９ｂを押され、後幕駆動レバー３９が反時計回りに回転する。第１後幕位置Ｐ２１から第２後幕位置Ｐ２２へ後幕３１が移動する際、後幕セットレバー３４は、後幕駆動レバー３９を介して後幕走行バネ３５の弾性力Ｆ２１を後幕３１に伝達する。つまり、チャージ機構１９４は、後幕走行バネ３５に第２付勢力Ｆ２３を付与する際、後幕セットレバー３４を介して後幕走行バネ３５に第２付勢力Ｆ２３を付与する。
【０１７１】
また、後幕セットバネ５４の弾性力Ｆ２２により後幕駆動レバー３９には時計回りに回転力が付与されている。このため、後幕セットレバー当接部３４ａと後幕駆動レバー当接部３９ｂとが接触している。後幕セットレバー３４はストッパ（図示せず）により反時計回りの回転が図２６に示す位置で規制されている。このため、後幕セットレバー３４および後幕駆動レバー３９が一体となって反時計回りに回転すると、後幕セットレバー３４および後幕駆動レバー３９が図２６に示す位置で停止する。後幕走行バネ３５の弾性力Ｆ２１により後幕セットレバー３４および後幕駆動レバー３９は図２６に示す位置を保つ。つまり、後幕駆動レバー３９は後幕セットレバー３４を介して後幕走行バネ３５の弾性力Ｆ２１を後幕３１に伝達することができる。
【０１７２】
一方で、後幕セットレバー３４が時計回りに回転しても、後幕セットレバー当接部３４ａは後幕駆動レバー当接部３９ｂと接触しないので、後幕セットレバー３４が時計回りに回転する場合は後幕セットレバー３４が後幕駆動レバー３９と独立して回転する。したがって、チャージ機構１９４が後幕走行バネ３５に第２付勢力Ｆ２３を付与する際、後幕セットレバー３４は、後幕駆動レバー３９を介さずに後幕走行バネ３５に第２付勢力Ｆ２３を付与する。
【０１７３】
図３５（Ｂ）に示すように、後幕駆動レバー３９は、さらに後幕ロック部３９ｃを有している。後幕ロックレバー５２はロック爪５２ｂを有している。後幕３１が開口部１１ａを覆った状態で、後幕ロック部３９ｃはロック爪５２ｂに引っかかっている。後幕ロックレバー５２は回転軸５２ａを中心に回転可能に回転軸５２ａにより支持されている。回転軸５２ａは、シャッタ地板１１に固定されている。後幕ロックレバー５２には後幕ロックバネ５３により反時計回りの回転力が付与されている。したがって、後幕ロック部３９ｃがロック爪５２ｂに引っかかっている状態が後幕ロックバネ５３の弾性力により保持される。
【０１７４】
図２６に示すように、後幕走行バネ３５（第２弾性部材の一例）は、後幕３１が開口部１１ａを覆う方向へ後幕３１を付勢している。具体的には、後幕３１が第２後幕位置Ｐ２２から第１後幕位置Ｐ２１へ移動するように後幕走行バネ３５は後幕駆動アーム３２を介して後幕３１に弾性力Ｆ２１を付与している。後幕走行バネ３５の弾性力Ｆ２１により後幕セットレバー３４には反時計回りの強い回転力が作用している。後幕セットレバー３４は後幕走行バネ３５の弾性力Ｆ２１を後幕駆動レバー３９に伝達可能に配置されている。したがって、例えば図６に示すように、後幕セットレバー当接部３４ａが後幕駆動レバー当接部３９ｂと接触している状態では、後幕走行バネ３５の弾性力Ｆ２１は後幕セットレバー３４を介して後幕駆動レバー３９に伝達される。つまり、後幕３１が第２後幕位置Ｐ２２に配置されている場合、後幕走行バネ３５は後幕駆動レバー３９に反時計回りの強い弾性力Ｆ２１を付与している。後幕走行バネ３５の弾性力Ｆ２１は後幕駆動レバー３９を介して後幕駆動アーム３２および後幕３１に伝達される。したがって、後幕走行バネ３５は後幕３１が開口部１１ａを覆う方向に後幕３１を付勢する。
【０１７５】
ここで、後幕走行バネ３５が後幕駆動レバー３９に与える反時計回りの弾性力Ｆ２１は、後幕セットバネ５４が後幕駆動レバー３９に与える時計回りの弾性力Ｆ２２よりも強い。したがって、後幕３１に後幕セットバネ５４の弾性力Ｆ２２が作用している状態でも、後幕走行バネ３５の弾性力Ｆ２１により後幕３１が開口部１１ａを覆う方向へ走行させることができる。後幕３１が走行する際の力は、後幕走行バネ３５の弾性力Ｆ２１と後幕セットバネ５４の弾性力Ｆ２２との合力に相当する。
【０１７６】
さらに、図２６に示すように、後幕セットレバー３４の端部には後幕吸着片３４ｂが固定されている。後幕吸着片３４ｂは後幕用電磁石３６へ吸着可能に配置されている。後幕用電磁石３６に電力が供給されると、後幕用電磁石３６が磁力を発生する。このため、後幕吸着片３４ｂが後幕用電磁石３６の近くに配置されている状態で後幕用電磁石３６に電力が供給されると、後幕吸着片３４ｂは後幕用電磁石３６の磁力により後幕用電磁石３６に吸着される。後幕吸着片３４ｂと後幕用電磁石３６との間の吸着力は、後幕走行バネ３５の弾性力Ｆ２１に対抗できるだけの十分な大きさを有している。したがって、後幕吸着片３４ｂが後幕用電磁石３６に吸着されている状態では、後幕走行バネ３５の弾性力Ｆ２１が後幕セットレバー３４に作用していても、後幕セットレバー３４の位置が図９に示すチャージ位置に保たれる。
【０１７７】
図３６（Ｂ）に示すように、後幕セットレバー３４は後幕セットレバーローラー３４ｃを回転可能に支持している。図３７（Ａ）および（Ｂ）に示すように、チャージレバー２９は後幕セットカム２２９ｃ（後幕カム部の一例）を有している。図２６に示すように、後幕セットレバーローラー３４ｃは後幕セットカム２９ｃと当接可能に配置されている。
【０１７８】
（１．４：チャージ機構２９４）
続いて、チャージ機構２９４について説明する。
【０１７９】
チャージ機構２９４（チャージ機構の一例）は、先幕走行バネ２５の弾性力Ｆ１１に逆らう第１付勢力Ｆ１３および後幕走行バネ３５の弾性力Ｆ２１に逆らう第２付勢力Ｆ２３を先幕走行バネ２５および後幕走行バネ３５に付与可能に設けられている。具体的には図２６に示すように、チャージ機構２９４は、チャージレバー２２９と、欠歯ギヤ部２２９ｅと、チャージレバー復帰バネ３０と、欠歯ギヤ４０と、遊星ギヤ４１と、遊星キャリア４２と、太陽ギヤ４３と、ウォームギヤ４４と、チャージレバー検知スイッチ４８と、を有している。
【０１８０】
モータ４６（アクチュエータの一例）は、先幕走行バネ２５へ付与される第１付勢力Ｆ１３および後幕走行バネ３５へ付与される第２付勢力Ｆ２３を発生する。具体的には、モータ４６は、先幕走行バネ２５への第１付勢力Ｆ１３の付与が完了する先幕チャージ完了位置と、先幕チャージ完了位置と異なる位置であって後幕走行バネ３５への第２付勢力Ｆ２３の付与が完了する後幕チャージ完了位置と、へチャージレバー２２９を駆動可能である。さらに、モータ４６は、先幕走行バネ２５への第１付勢力Ｆ１３の付与が開始される先幕チャージ開始位置と、先幕チャージ開始位置と同じまたは異なる位置であって後幕走行バネ３５への第２付勢力Ｆ２３の付与が開始される後幕チャージ開始位置と、へチャージレバー２２９を駆動可能である。
【０１８１】
後幕チャージ完了位置は、後幕チャージ開始位置と先幕チャージ完了位置との間に配置されている。モータ４６は、先幕チャージ完了位置に対して先幕チャージ開始位置と反対側の開放位置へチャージレバー２２９を駆動可能である。さらに、モータ４６は、先幕チャージ完了位置に対して先幕チャージ開始位置と反対側の規制位置へチャージレバー２２９を駆動可能である。
【０１８２】
チャージレバー２２９（チャージ部材の一例）は、先幕セットレバー２４を介して先幕走行バネ２５に第１付勢力Ｆ１３を伝達可能に配置されており、後幕セットレバー３４を介して後幕走行バネ３５に第２付勢力Ｆ２３を伝達可能に配置されている。具体的には図３７（Ａ）および（Ｂ）に示すように、チャージレバー２２９は、先幕駆動レバー２８、先幕セットレバー２４および後幕セットレバー３４を駆動するために設けられており、回転軸２９ａと、先幕セットカム２２９ｂと、後幕セットカム２２９ｃと、を有している。チャージレバー２２９は回転軸２９ａを中心にシャッタ地板１１に対して回転可能に設けられている。
【０１８３】
図２６に示すように、先幕セットカム２２９ｂ（先幕カム部の一例）は、先幕セットレバー２４と当接可能に配置されており、先幕セットレバー２４を時計回りに回転駆動する。より詳細には、先幕セットカム２２９ｂは先幕セットレバー２４の先幕セットレバーローラー２４ｃと当接可能に配置されている。先幕セットカム２２９ｂが先幕セットレバーローラー２４ｃと当接した状態でチャージレバー２２９が反時計回りに回転すると、先幕走行バネ２５の弾性力Ｆ１１に逆らいながら先幕セットレバー２４が時計回りに回転し、先幕吸着片２４ｂと先幕用電磁石２６とが接触する。このように、先幕２１を走行させるための弾性力をチャージレバー２２９により先幕走行バネ２５にチャージすることができる。チャージレバー２２９が先幕チャージ完了位置にある場合に、先幕セットカム２２９ｂは、先幕セットレバー２４と当接している。
【０１８４】
また、後幕セットカム２２９ｃは、後幕セットレバー３４と当接可能に配置されており、後幕セットレバー３４を時計回りに回転駆動する。後幕セットカム２２９ｃは後幕セットレバー３４の後幕セットレバーローラー３４ｃと当接可能に配置されている。後幕セットカム２２９ｃが後幕セットレバーローラー３４ｃと当接した状態でチャージレバー２２９が反時計回りに回転すると、後幕走行バネ３５の弾性力Ｆ２１に逆らいながら後幕セットレバー３４が時計回りに回転し、後幕吸着片３４ｂと後幕用電磁石３６とが接触する。このように、後幕３１を走行させるための付勢力をチャージレバー２２９により後幕走行バネ３５にチャージすることができる。図２８に示すように、チャージレバー２２９が後幕チャージ完了位置にある場合に、後幕セットレバーローラー３４ｃは後幕セットカム２２９ｃと当接しており、後幕セットレバー３４は後幕セットカム２２９ｃにより図２８に示す位置に保持されている。
【０１８５】
ここで、先幕吸着片２４ｂと先幕用電磁石２６とが吸着可能な位置にある状態を先幕２１のチャージ完了状態とも言う。また、後幕吸着片３４ｂと後幕用電磁石３６とが吸着可能な位置にある状態を後幕３１のチャージ完了状態とも言う。先幕２１をチャージ完了状態にすることを、先幕２１をチャージするとも言う。さらに、後幕３１をチャージ完了状態にすることを、後幕３１をチャージするとも言う。
【０１８６】
チャージレバー２２９は先幕２１のロックおよび後幕３１のロックを解除することができる。具体的には図３８（Ａ）および（Ｂ）に示すように、チャージレバー２２９は、先幕ロック解除部２２９ｙ（先幕ロック解除部の一例）と、後幕ロック解除部２２９ｈ（後幕ロック解除部の一例）と、を有している。
【０１８７】
先幕ロック解除部２２９ｙは、先幕ロックレバー２５３による先幕駆動レバー２８の規制を解除するために設けられており、先幕ロックレバー２５３のロック解除爪２５３ｃと接触可能に配置されている。チャージレバー２２９が反時計回りに回転すると、先幕ロック解除部２２９ｙがロック解除爪２５３ｃと接触し、先幕ロックバネ２５５の弾性力に逆らって先幕ロックレバー２５３はモータ４６により時計回りに駆動される。この結果、先幕ロック爪２５３ｂが先幕駆動レバー２８の先幕ロック部２２８ｅから外れる。先幕ロック爪２５３ｂが先幕ロック部２２８ｅから外れると、先幕セットバネ２７の弾性力Ｆ１２により先幕駆動レバー２８が時計回りに回転し、先幕２１が第２先幕位置Ｐ１２から第１先幕位置Ｐ１１に走行する。
【０１８８】
後幕ロック解除部２２９ｈは後幕ロックレバー５２のロック解除爪５２ｃと接触可能に配置されている。チャージレバー２２９が反時計回りに回転すると、後幕ロック解除部２２９ｈがロック解除爪５２ｃを押す。この結果、後幕ロックレバー５２が後幕ロックバネ５３の弾性力に逆らって時計方向に回転して、ロック爪５２ｂが後幕ロック部３９ｃから外れる。ロック爪５２ｂが後幕ロック部３９ｃから外れると、後幕セットバネ５４の弾性力Ｆ２２により後幕駆動レバー３９が時計回りに回転し、後幕３１が第１後幕位置Ｐ２１から第２後幕位置Ｐ２２に走行する。
【０１８９】
欠歯ギヤ部２２９ｅはチャージレバー２２９と一体回転可能に設けられている。チャージレバー２２９と欠歯ギヤ部２２９ｅとは、回転軸２９ａにより回転可能に支持されている。チャージレバー２２９は、チャージレバー復帰バネ３０により時計回りへ付勢されている。チャージレバー復帰バネ３０は、チャージレバー２２９が第１付勢力Ｆ１３および第２付勢力Ｆ２３の付与を開始する前の原点位置に戻るようにチャージレバー２２９に弾性力Ｆ２２を付与する。シャッタ地板１１に設けられたストッパ１１ｂは、チャージレバー２２９と当接し、チャージレバー２２９がチャージレバー復帰バネ３０により回転するのを規制する。チャージレバー２２９にチャージレバー復帰バネ３０の付勢力以外の力が働いていない状態では、チャージレバー２２９はストッパ１１ｂと当接した位置に保持される。
【０１９０】
欠歯ギヤ部２２９ｅは、欠歯ギヤ４０と噛み合い可能である。欠歯ギヤ４０はシャッタ地板１１により回転可能に支持されている。欠歯ギヤ４０は、段ギヤで構成されており、全周歯を有するギヤ部４０ａを有している。ギヤ部４０ａは遊星ギヤ４１と噛み合い可能である。
【０１９１】
遊星ギヤ４１は遊星キャリア４２により回転可能に支持されている。遊星キャリア４２は、太陽ギヤ４３と同じ軸４３ｂを中心に、シャッタ地板１１により回転可能に支持されている。太陽ギヤ４３と遊星ギヤ４１とは噛み合っている。ここで、太陽ギヤ４３に適度な回転負荷を与えることによって、太陽ギヤ４３の回転方向に応じて、遊星キャリア４２および遊星ギヤ４１が軸４３ｂを中心に回転する。遊星ギヤ４１が軸４３ｂを中心に回転すると、遊星ギヤ４１が噛み合うギヤを欠歯ギヤ４０または連結ギヤ４７に切り替えることができる。
【０１９２】
遊星キャリア４２は第１回転規制部４２ａおよび第２回転規制部４２ｂを有している。第１回転規制部４２ａおよび第２回転規制部４２ｂは、それぞれ、シャッタ地板１１に設けられた第１ストッパ１１ｃおよび第２ストッパ１１ｄに当接する。これにより、シャッタ地板１１に対する遊星キャリア４２の回転が所定の範囲内に規制されている。
【０１９３】
太陽ギヤ４３は、段ギヤで構成されており、ウォームギヤ４４と噛み合うウォームホイール４３ａを有している。ウォームギヤ４４はモータ４６の回転軸４６ａに固定されている。ウォームギヤ４４はエンコーダ羽根４４ａを有している。エンコーダ羽根４４ａがフォトインタラプタ４５の光を遮断することによってモータ４６の回転量（駆動量）や速度を測定することが可能である。
【０１９４】
チャージレバー検知スイッチ４８は、シャッタ地板１１に固定されており、チャージレバー２２９の回転位置を検出する。より詳細には、チャージレバー検知スイッチ４８はチャージレバー２２９が近接しているか否かを検出する。
【０１９５】
（２：スリット露光撮影の動作） 
次に、スリット露光撮影の動作について説明する。図３９に示すフローチャートは、スリット露光撮影のフローチャートである。図４０に示すタイムチャートは、スリット露光撮影の動作のタイミングを示すタイムチャートである。
【０１９６】
（２．１：走行完了状態）
図２５は、フォーカルプレーンシャッタ装置２９０の撮影終了状態、つまり、先幕２１および後幕３１の走行が完了した状態を示す。図２６は、図２５の要部拡大図である。
【０１９７】
図２５に示す走行完了状態では、先幕走行バネ２５の弾性力Ｆ１１により先幕２１が開口部１１ａよりも上側に退避している。先幕２１が第２先幕位置Ｐ１２に配置されている状態では、先幕セットレバー２４と先幕駆動レバー２８とは、先幕セットバネ２７の弾性力Ｆ１２と先幕走行バネ２５の弾性力Ｆ１１とによって、先幕セットレバー当接部２４ａが先幕駆動レバー当接部２８ｂに当接している。また、後幕走行バネ３５の弾性力Ｆ２１により後幕３１が開口部１１ａを覆った状態が維持されている。後幕走行バネ３５の弾性力Ｆ２１により後幕セットレバー当接部３４ａが後幕駆動レバー当接部３９ｂに当接した状態で、後幕セットレバー３４は反時計回りに回転した状態を保持している。
【０１９８】
（２．２：チャージ動作）
図２７は、先幕２１及び後幕３１のチャージが完了した状態を示している。図２５に示す走行完了状態でモータ４６へ通電が行われ、モータ４６によって太陽ギヤ４３が時計回りに回転される（ステップＳ４１）。すると、遊星キャリア４２が回転負荷によって時計回りに回転し、第２回転規制部４２ｂが第２ストッパ１１ｄに当接する。
【０１９９】
その後、遊星ギヤ４１は、反時計回りに回転し、さらに欠歯ギヤ４０を時計回りに回転させる。欠歯ギヤ４０に設けた欠歯ギヤ部４０ｂは、チャージレバー２２９の欠歯ギヤ部２９ｅと噛み合い、欠歯ギヤ部２９ｅを反時計回りに回転させる。欠歯ギヤ部２９ｅと一体的に設けられたチャージレバー２２９は、チャージレバー復帰バネ３０の弾性力Ｆ２２に逆らって反時計回りに回転する。
【０２００】
ここで、モータ４６の通電と同時に、チャージレバー検知スイッチ４８によりチャージレバー２２９が近接しているか否かの検出が開始される（ステップＳ４２）。チャージレバー２２９の回転が進みチャージレバー検知スイッチ４８によりチャージレバー２２９が検出されると、フォトインタラプタ４５およびエンコーダ羽根４４ａを用いてモータ４６の駆動量の検出が開始される（ステップＳ４３）。
【０２０１】
図２５および図２６に示す状態でチャージレバー２２９が反時計回りに回転すると、後幕セットカム２９ｃにより後幕セットレバーローラー３４ｃが押圧され、後幕セットレバー３４は時計回りに回転する。後幕セットレバー３４が時計回りに回転すると、後幕３１が第１後幕位置Ｐ２１から第２後幕位置Ｐ２２へ向かって移動し、後幕３１が開口部１１ａから退避する。後幕セットレバーローラー３４ｃが後幕セットカム２９ｃの外周面２９ｇに達すると、後幕３１が第２後幕位置Ｐ２２に到達し、後幕吸着片３４ｂが後幕用電磁石３６へ押し付けられる（図２７および図２８参照）。後幕セットカム２９ｃの外周面２９ｇにより後幕セットレバー３４の位置が保持されるので、後幕走行バネ３５の弾性力Ｆ２１がチャージレバー２２９に回転力として作用しない。
【０２０２】
同様に、チャージレバー２２９が反時計回りに回転すると、先幕セットカム２９ｂにより先幕セットレバーローラー２４ｃが押圧され、先幕セットレバー２４は時計回り回転する。先幕セットレバーローラー２４ｃが先幕セットカム２９ｂの外周面２９ｆに達すると、先幕吸着片２４ｂが先幕用電磁石２６へ押し付けられる。先幕セットカム２９ｂの外周面２９ｆにより先幕セットレバー２４の位置が保持されるので、先幕走行バネ２５の弾性力Ｆ１１がチャージレバー２２９に回転力として作用しない。
【０２０３】
後幕セットレバー３４が時計回りに回転するとき、後幕セットバネ５４の弾性力Ｆ１２によって後幕駆動レバー３９も後幕セットレバー３４とともに時計回りに回転しようとする。
【０２０４】
しかし、後幕ロック部３９ｃに後幕ロックレバー５２のロック爪５２ｂが引っかかっているので、後幕駆動レバー３９の時計回りの回転が規制される。したがって、後幕セットレバー３４はチャージレバー２２９に押されて時計回りに回転するが、後幕駆動レバー３９は時計回りに回転しない。これにより、上述のチャージ動作中、後幕３１が第２後幕位置Ｐ２２で保持され、後幕３１が開口部１１ａを遮蔽した状態が維持される。
【０２０５】
上述のチャージ動作中、後幕３１が開口部１１ａを遮蔽した状態が維持されるので、ＣＭＯＳイメージセンサー１１０からの画像データの読み出しと後幕３１のチャージとを並行して行うことが可能である。なお、本実施形態では、後幕３１のチャージ動作が完了するまで、後幕３１が開口部１１ａを遮蔽した状態が維持される。
【０２０６】
モータ４６の駆動量が所定値に達すると、モータ４６の駆動が停止される（ステップＳ４４）。このとき、チャージレバー２２９は図２７および図２８に示す位置で停止する。チャージレバー２２９が図２７および図２８に示す位置で停止するので、チャージ動作後も、先幕２１が第２先幕位置Ｐ１２でロックされている状態および後幕３１が第２後幕位置Ｐ２２でロックされている状態が維持される。
【０２０７】
ＣＭＯＳイメージセンサー１１０からの画像データの読み出しが完了すると、モータ４６によるチャージレバー２２９の駆動が再び開始され、チャージレバー２２９がさらに反時計回りに回転する（ステップＳ４５、Ｓ４６）。図２７に示す位置からチャージレバー２２９が反時計回りに回転すると、チャージレバー２２９の後幕ロック解除部２９ｈが後幕ロックレバー５２のロック解除爪５２ｃと接触する。後幕ロック解除部２９ｈによりロック解除爪５２ｃが押されると、後幕ロックバネ５３の弾性力に逆らって後幕ロックレバー５２は時計回りに回転する。この結果、ロック爪５２ｂが後幕ロック部３９ｃから外れて、後幕駆動レバー３９のロックが解除される。図２９および図３０に示すように、後幕駆動レバー３９のロックが解除されると、後幕セットバネ５４の弾性力により、後幕３１が第１後幕位置Ｐ２１から第２後幕位置Ｐ２２へ移動し、後幕３１が開口部１１ａから退避した状態が維持される。モータ４６の駆動量が所定値に達すると、モータ４６によるチャージレバー２２９の駆動が停止する（ステップＳ４７、Ｓ４８）。こうして、フォーカルプレーンシャッタ装置２９０は図２９および図３０に示す状態となる。
【０２０８】
一方、図２９に示す位置では、チャージレバー２２９の先幕ロック解除部２２９ｙが先幕ロックレバー２５３のロック解除爪２５３ｃと接触していない。したがって、先幕ロックレバー２５３による先幕２１のロックは継続され、先幕２１が開口部１１ａから退避した状態が維持される。
【０２０９】
図２９に示す状態では、被写体からの光がＣＭＯＳイメージセンサー１１０に導かれる。この状態は、ＣＭＯＳイメージセンサー１１０を露光した状態を維持したいときに特に有効である。たとえば、カメラ本体１００によってライブビュー機能による被写体観察やフレーミングを行ったり、動画撮影を行ったりする際に特に有効である。
【０２１０】
このように、フォーカルプレーンシャッタ装置２９０は、チャージ動作中およびチャージ動作後において、開口部１１ａの開放状態を機械的に維持可能である。つまり、フォーカルプレーンシャッタ装置２９０は、いわゆるノーマリーオープンの機能を有している。
【０２１１】
（２．３：モータの反転）
図２９に示す状態で、モータ４６を反転させると、太陽ギヤ４３が反時計回りに回転し、それに伴い遊星キャリア４２が軸４３ｂを中心に反時計回りに回転する。この結果、遊星キャリア４２の第１回転規制部４２ａが第１ストッパ１１ｃと当接する。第１回転規制部４２ａが第１ストッパ１１ｃと当接している位置では、遊星ギヤ４１が欠歯ギヤ４０ではなく連結ギヤ４７と噛み合うので、太陽ギヤ４３の回転が遊星ギヤ４１を介して連結ギヤ４７に伝達される。連結ギヤ４７を他の駆動部材に連結することで、連結ギヤ４７の回転を利用して他の駆動部材を駆動することも可能である。他の駆動部材としては、例えばフラッシュのポップアップが挙げられる。
【０２１２】
遊星ギヤ４１と欠歯ギヤ４０とが噛み合っているときは、ウォームギヤ４４のセルフロック機能によって太陽ギヤ４３および遊星ギヤ４１が回転せず、遊星ギヤ４１と噛み合っている欠歯ギヤ４０も回転しない。したがって、欠歯ギヤ４０が欠歯ギヤ部２９ｅと噛み合っていれば、チャージレバー２９は回転しない。
【０２１３】
しかし、遊星ギヤ４１が軸４３ｂを中心に反時計回りに回転すると、遊星ギヤ４１と欠歯ギヤ４０との噛み合いが外れる。したがって、ウォームギヤ４４のセルフロック機能が欠歯ギヤ４０およびチャージレバー２９に働かず、チャージレバー復帰バネ３０の弾性力Ｆ２２によりチャージレバー２９が時計回りに回転してしまう。チャージレバー２９が時計回りに回転すると、先幕セットレバー２４および後幕セットレバー３４も時計回りに回転し、先幕２１および後幕３１のチャージも解除されてしまう。
【０２１４】
そこで、図２９および図３０に示すように、チャージレバー２２９の反転防止部２２９ｘにリターンロックレバー２３７のロック爪２３７ｃが引っかかっている。これにより、チャージレバー２２９の時計回りの回転を規制することができ、チャージ完了状態を維持しつつ、モータ４６の逆回転を他の部材の駆動などに自由に利用することが可能となる。
【０２１５】
（２．４：スリット露光待機状態）
図２９に示す状態でユーザーによりレリーズ釦１３１が操作されると、カメラコントローラー１４０により測光等の必要な撮影情報が取得される。撮影情報の取得完了後、レリーズ動作が開始される。
【０２１６】
具体的には、先幕２１および後幕３１のチャージ完了状態を維持するために、図３９に示すように、レリーズ釦１３１が押されると、モータ４６が駆動される前あるいはモータ４６が駆動されるのと同時に、先幕用電磁石２６および後幕用電磁石３６に給電が開始される（ステップＳ４９、Ｓ５０）。この結果、先幕吸着片２４ｂが先幕用電磁石２６に吸着され、後幕吸着片３４ｂが後幕用電磁石３６に吸着される。したがって、先幕セットレバー２４および後幕セットレバー３４が反時計回りに回転可能になっても、先幕セットレバー２４および後幕セットレバー３４はチャージ位置に保持される。
【０２１７】
先幕用電磁石２６および後幕用電磁石３６に給電が開始された後、カメラコントローラー１４０によりモータ４６が所定の駆動量だけ駆動される（ステップＳ５０、Ｓ５１、Ｓ５２）。具体的には、モータ４６により太陽ギヤ４３が時計回りに回転駆動されると、チャージレバー２９が反時計回りに回転する。チャージレバー２２９が反時計回りに回転すると、先幕ロック解除部２２９ｙが先幕ロックレバー２５３のロック解除爪２５３ｃと接触する。先幕ロック解除部２２９ｙによりロック解除爪２５３ｃが押されると、先幕ロックレバー２５３が先幕ロックバネ２５５の弾性力に逆らって時計回りに回転する。この結果、先幕ロック爪２５３ｂが先幕ロック部２２８ｅから外れて、先幕駆動レバー２８のロックが解除される。先幕駆動レバー２８のロックが解除されると、先幕セットバネ２７の弾性力Ｆ１２により先幕２１が第２先幕位置Ｐ１２から第１先幕位置Ｐ１１へ移動し、図３１に示すように、先幕２１により開口部１１ａが覆われる。
【０２１８】
さらに、モータ４６によりチャージレバー２２９が反時計回りに回転駆動されると、欠歯ギヤ４０と欠歯ギヤ部２９ｅとの噛み合いが外れ、チャージレバー復帰バネ３０の弾性力によりチャージレバー２２９が時計回りに回転する。この結果、図３１に示すように、先幕セットレバーローラー２４ｃと先幕セットカム２９ｂとの当接が解除され、後幕セットレバーローラー３４ｃと後幕セットカム２９ｃとの当接が解除される。
【０２１９】
しかし、欠歯ギヤ４０とチャージレバー２２９の欠歯ギヤ部２９ｅとの噛み合いが外れる前に、先幕用電磁石２６および後幕用電磁石３６に給電が開始されているので、先幕セットレバー２４および後幕セットレバー３４はチャージ状態を維持することができる。
【０２２０】
（２．５：スリット露光）
その後、カメラコントローラー１４０からのレリーズ指令に基づいて先幕用電磁石２６への給電が停止される（ステップＳ５３）。すると、先幕セットレバー２４が先幕走行バネ２５の弾性力Ｆ１１により反時計回りに回転する。このとき、先幕駆動レバー当接部２８ｂが先幕セットレバー当接部２４ａに押されるので、先幕駆動レバー２８は先幕セットレバー２４と反時計回りに一体回転し、先幕２１が第１先幕位置Ｐ１１から第２先幕位置Ｐ１２へ走行する。この結果、開口部１１ａを通ってＣＭＯＳイメージセンサー１１０に光が入射し、ＣＭＯＳイメージセンサー１１０の露光が開始される。
【０２２１】
その一方で、先幕用電磁石２６の給電停止から予め設定された露光時間が経過した後に、後幕用電磁石３６の給電が停止される（ステップＳ５４、Ｓ５５）。露光時間はカメラコントローラー１４０により露出情報等に基づいて設定される。後幕用電磁石３６への給電が停止されると、後幕走行バネ３５の弾性力Ｆ２１により後幕セットレバー３４が反時計回りに回転し、後幕３１が第２後幕位置Ｐ２２から第１後幕位置Ｐ２１へ走行する。この結果、後幕３１により開口部１１ａの下方から順に開口部１１ａが遮蔽される。このとき、先幕２１と後幕３１との間にはスリットが形成され、このスリットが開口部１１ａの下側から上側へ移動する。このため、ＣＭＯＳイメージセンサー１１０はこのスリットを通って入射する光によって露光される。このようなスリットによる露光動作をスリット露光撮影という。先幕２１および後幕３１の走行が完了すると、フォーカルプレーンシャッタ装置２９０の状態は図２５に示す状態となる。チャージ動作が行われと、フォーカルプレーンシャッタ装置２９０の状態は図２７に示す状態となり、次の撮影に備える。
【０２２２】
このように、チャージと読み出しとを並行して行うことで、次の撮影への準備時間を短くすることが出来る。これにより、例えば、連続撮影の間隔を小さくすることができ、高速な連写が可能になる。
【０２２３】
なお、後幕３１の走行が完了したとき、図２５に示すように、後幕ロックレバー５２のロック爪５２ｂが後幕ロック部３９ｃに引っかかり、後幕ロックレバー５２により後幕３１が再びロックされる。
【０２２４】
＜その他の実施形態＞
本発明は、前述の実施形態に限られず、本発明の趣旨を逸脱しない範囲で種々の修正および変更が可能である。
【０２２５】
（１）前述の実施形態では，カメラ本体１００とレンズユニット２００が分離可能な交換レンズ式デジタルカメラを示しているが、レンズユニットがカメラ本体に固定され、フォーカルプレーンシャッタ装置によって露出制御されるデジタルカメラであっても同様の効果をもたらすことが出来る。
【０２２６】
（２）前述の実施形態では、駆動ユニット１９９および２９９を例に駆動ユニットについて説明しているが、駆動ユニットは前述の構成に限定されない。駆動ユニットが、先幕走行バネ２５に第１付勢力Ｆ１３を付与する際に先幕２１を第２先幕位置Ｐ１２に保持し、かつ、後幕走行バネ３５に第２付勢力Ｆ２３を付与する際に後幕３１を第１後幕位置Ｐ２１に保持する構成を有していればよい。
【０２２７】
（３）前述の実施形態では、駆動ユニット１９９および２９９は、後幕走行バネ３５への第２付勢力Ｆ２３の付与が完了している状態で、後幕３１を第１後幕位置Ｐ２１に保持している。しかし、駆動ユニットが、後幕走行バネ３５への第２付勢力Ｆ２３の付与が完了する前に後幕３１の保持が解除されてもよい。
【０２２８】
（４）前述の実施形態では、駆動ユニット１９９および２９９は、先幕走行バネ２５への第１付勢力Ｆ１３の付与が完了している状態で、先幕２１を第２先幕位置Ｐ１２に保持している。しかし、駆動ユニットが、先幕走行バネ２５への第１付勢力Ｆ１３の付与が完了する前に先幕２１の保持が解除されてもよい。
【０２２９】
（５）前述の実施形態では、駆動ユニット１９９および２９９は、後幕３１が第１後幕位置Ｐ２１から第２後幕位置Ｐ２２へ移動する際に後幕駆動レバー３９の移動を規制可能に設けられた後幕ロックレバー５２を有している。しかし、後幕３１の移動を規制する構成は前述の構成に限定されない。例えば、後幕３１が第２後幕位置Ｐ２２へ移動するのをチャージレバー２９により規制してもよい。
【０２３０】
（６）前述の実施形態では、後幕ロックレバー５２による後幕駆動レバー３９の規制がチャージレバー２９および２２９により解除されている。しかし、後幕ロックレバー５２による後幕駆動レバー３９の規制を他の部材により解除してもよい。
【０２３１】
（７）前述の第１実施形態では、チャージレバー２９が先幕駆動レバー２８を介して先幕２１を第２先幕位置Ｐ１２で保持しているが、第２実施形態のように他の部材により先幕２１を第２先幕位置Ｐ１２で保持してもよい。
【０２３２】
（８）前述の実施形態では、チャージ機構１９４が後幕走行バネ３５のチャージを完了するタイミングは、チャージ機構１９４が先幕走行バネ２５のチャージを完了するタイミングよりも早くなっている。しかし、チャージ機構１９４が後幕走行バネ３５のチャージを完了するタイミングが、チャージ機構１９４が先幕走行バネ２５のチャージを完了するタイミングが同じでもよい。また、チャージ機構１９４が先幕走行バネ２５のチャージを完了するタイミングが、チャージ機構１９４が後幕走行バネ３５のチャージを完了するタイミングよりも早くてもよい。
【０２３３】
（９）前述の実施形態では、チャージ機構１９４が先幕走行バネ２５のチャージを開始するタイミングが、チャージ機構１９４が後幕走行バネ３５のチャージを開始するタイミングよりも早い。しかし、チャージ機構１９４が先幕走行バネ２５のチャージを開始するタイミングが、チャージ機構１９４が後幕走行バネ３５のチャージを開始するタイミングと同じであってもよく、チャージ機構１９４が後幕走行バネ３５のチャージを開始するタイミングが、チャージ機構１９４が先幕走行バネ２５のチャージを開始するタイミングよりも早くてもよい。
【０２３４】
（１０）前述の実施形態では、反転防止部２９ｄａおよび爪部２８ｃによりチャージレバー２９が原点位置に戻るのが規制されているが、チャージレバー２９が反転防止部２９ｄａを有していなくてもよい。
【０２３５】
＜実施形態の特徴＞
上記実施形態において特徴的な部分を以下に列記する。なお、上記実施形態に含まれる発明は、以下に限定されるものではない。なお、各構成の後ろに括弧で記載したものは、特徴の理解を助けるために記載した、各構成の具体例である。各構成はこれらの具体例に限定されるものではない。また、各特徴について記載された効果を得るために、記載された特徴以外の構成は変形または削除されてもよい。
【０２３６】
（１）第１の特徴に係るフォーカルプレーンシャッタ装置は、
開口部（１１ａ）を有するシャッタ地板（１１）と、
前記開口部（１１ａ）を覆う第１先幕位置（Ｐ１１）と前記開口部（１１ａ）から退避した第２先幕位置（Ｐ１２）との間を移動可能に配置された先幕（２１）と、
前記第１先幕位置（Ｐ１１）から前記第２先幕位置（Ｐ１２）へ前記先幕（２１）が移動するように前記先幕（２１）に弾性力を付与する第１弾性部材（先幕走行バネ２５）と、
前記開口部（１１ａ）を覆う第１後幕位置（Ｐ２１）と前記開口部（１１ａ）から退避した第２後幕位置（Ｐ２２）との間を移動可能に配置された後幕（３１）と、
前記第１後幕位置（Ｐ２１）から前記第２後幕位置（Ｐ２２）へ前記後幕（３１）が移動するように前記後幕（３１）に弾性力を付与する第２弾性部材（後幕走行バネ３５）と、
前記第１弾性部材（先幕走行バネ２５）の弾性力に逆らう第１付勢力および前記第２弾性部材（後幕走行バネ３５）の弾性力に逆らう第２付勢力を前記第１および第２弾性部材（後幕走行バネ３５）に付与可能に設けられ、前記第１弾性部材（先幕走行バネ２５）に前記第１付勢力を付与する際に前記先幕（２１）を前記第２先幕位置（Ｐ１２）に保持し、前記第２弾性部材（後幕走行バネ３５）に前記第２付勢力を付与する際に前記後幕（３１）を前記第１後幕位置（Ｐ２１）に保持する駆動ユニット（１９９、２９９）と、を備えている。
【０２３７】
このフォーカルプレーンシャッタ装置では、駆動ユニット（１９９、２９９）により、第１弾性部材に（先幕走行バネ２５）第１付勢力を付与する際に先幕（２１）が第２先幕位置（Ｐ１２）に保持され、第２弾性部材（後幕走行バネ３５）に第２付勢力を付与する際に後幕（３１）が第１後幕位置（Ｐ２１）に保持される。このため、先幕（２１）と後幕（３１）とを用いたスリット露光ができ、先幕（２１）と後幕（３１）とをチャージする際に先幕（２１）を退避しつつ開口部（１１ａ）を遮蔽した状態を維持できる。したがって、例えば、先幕（２１）を退避した状態で、先幕（２１）と後幕（３１）のチャージと並行して撮像素子からの画像データの読み出しを行うことが可能である。
【０２３８】
（２）第２の特徴に係るフォーカルプレーンシャッタ装置は、第１の特徴に係るフォーカルプレーンシャッタ装置において、
前記駆動ユニット（１９９、２９９）は、前記第２弾性部材（後幕走行バネ３５）への前記第２付勢力の付与が完了している状態で、前記後幕（３１）を前記第１後幕位置（Ｐ２１）に保持する。
【０２３９】
（３）第３の特徴に係るフォーカルプレーンシャッタ装置は、第１または第２の特徴に係るフォーカルプレーンシャッタ装置において、
前記駆動ユニット（１９９、２９９）は、前記第１弾性部材（先幕走行バネ２５）への前記第１付勢力の付与が完了している状態で、前記先幕（２１）を前記第２先幕位置（Ｐ１２）に保持する。
【０２４０】
（４）第４の特徴に係るフォーカルプレーンシャッタ装置は、第１から第３のいずれかの特徴に係るフォーカルプレーンシャッタ装置において、
前記駆動ユニット（１９９、２９９）は、前記第１付勢力および前記第２付勢力を発生するアクチュエータ（モータ４６）と、前記第１弾性部材（先幕走行バネ２５）に前記第１付勢力を伝達可能に配置され前記第２弾性部材（後幕走行バネ３５）に前記第２付勢力を伝達可能に配置されたチャージ部材（チャージレバー２９、２２９）と、を有している。
【０２４１】
（５）第５の特徴に係るフォーカルプレーンシャッタ装置は、第４の特徴に係るフォーカルプレーンシャッタ装置において、
前記駆動ユニット（１９９、２９９）は、前記第１後幕位置（Ｐ２１）および前記第２後幕位置（Ｐ２２）の間を移動可能に前記シャッタ地板（１１）に前記後幕（３１）を連結する後幕駆動部材（後幕駆動レバー３９）と、前記後幕（３１）が前記第１後幕位置（Ｐ２１）から前記第２後幕位置（Ｐ２２）へ移動する際に前記後幕駆動部材（後幕駆動レバー３９）の移動を規制可能に設けられた後幕ロック部材（後幕ロックレバー５２）と、を有している。
【０２４２】
（６）第６の特徴に係るフォーカルプレーンシャッタ装置は、第５の特徴に係るフォーカルプレーンシャッタ装置において、
前記チャージ部材（チャージレバー２９、２２９）は、前記後幕ロック部材（後幕ロックレバー５２）による前記後幕駆動部材（後幕駆動レバー３９）の規制を解除する後幕ロック解除部（２９ｈ）を有している。
【０２４３】
（７）第７の特徴に係るフォーカルプレーンシャッタ装置は、第５または第６の特徴に係るフォーカルプレーンシャッタ装置において、
前記駆動ユニット（１９９、２９９）は、前記後幕ロック部材（後幕ロックレバー５２）が前記後幕駆動部材（後幕駆動レバー３９）の移動を規制した状態を保つように前記後幕ロック部材（後幕ロックレバー５２）に弾性力を付与する後幕ロック弾性部材（後幕ロックバネ５３）を有しており、
前記アクチュエータ（モータ４６）は、前記後幕ロック弾性部材（後幕ロックバネ５３）の弾性力に逆らうように前記チャージ部材（チャージレバー２９、２２９）を介して前記後幕ロック部材（後幕ロックレバー５２）を駆動可能である。
【０２４４】
（８）第８の特徴に係るフォーカルプレーンシャッタ装置は、第５から第７のいずれかの特徴に係るフォーカルプレーンシャッタ装置において、
前記駆動ユニット（１９９、２９９）は、前記第２弾性部材（後幕走行バネ３５）の弾性力を前記後幕駆動部材（後幕駆動レバー３９）に伝達可能に配置された後幕セット部材（後幕セットレバー３４）を有しており、
前記後幕セット部材（後幕セットレバー３４）は、前記第２付勢力を前記第２弾性部材（後幕走行バネ３５）に付与する際に前記チャージ部材（チャージレバー２９、２２９）を介して前記アクチュエータ（モータ４６）により駆動される。
【０２４５】
（９）第９の特徴に係るフォーカルプレーンシャッタ装置は、第４から第８のいずれかの特徴に係るフォーカルプレーンシャッタ装置において、
前記駆動ユニット（１９９）は、前記第１先幕位置（Ｐ１１）および前記第２先幕位置（Ｐ１２）の間を移動可能に前記シャッタ地板（１１）に前記先幕（２１）を連結する先幕駆動部材（先幕駆動レバー２８）を有しており、
前記チャージ部材（チャージレバー２９、２２９）は、前記先幕駆動部材（先幕駆動レバー２８）を介して前記先幕（２１）を前記第２先幕位置（Ｐ１２）で保持する先幕保持部（２９ｄ）を有しており、
前記先幕駆動部材（先幕駆動レバー２８）は、前記先幕保持部（２９ｄ）と当接可能に設けられた当接部を有している。
【０２４６】
（１０）第１０の特徴に係るフォーカルプレーンシャッタ装置は、第９の特徴に係るフォーカルプレーンシャッタ装置において、
前記アクチュエータ（モータ４６）は、前記第１弾性部材（先幕走行バネ２５）への前記第１付勢力の付与が完了する第１チャージ完了位置と、前記第１チャージ完了位置と異なる位置であって前記第２弾性部材（後幕走行バネ３５）への前記第２付勢力の付与が完了する第２チャージ完了位置と、へ前記チャージ部材（チャージレバー２９）を駆動可能であり、
前記チャージ部材（チャージレバー２９）が前記第１チャージ完了位置にある場合に、前記先幕保持部（２９ｄ）は、前記第２先幕位置（Ｐ１２）から前記第１先幕位置（Ｐ１１）へ前記先幕（２１）が移動する際の前記当接部の移動領域内に入り込んでいる。
【０２４７】
（１１）第１１の特徴に係る撮像装置は、
請求項１０に記載のフォーカルプレーンシャッタ装置（１９０、２９０）と、
被写体の光学像を画像信号に変換する撮像素子（ＣＭＯＳイメージセンサー１１０）と、
前記撮像素子（ＣＭＯＳイメージセンサー１１０）と前記フォーカルプレーンシャッタ装置（１９０、２９０）とを制御する制御部（カメラコントローラー１４０）と、を備え、
前記撮像素子（ＣＭＯＳイメージセンサー１１０）は、前記先幕（２１）の走行方向に順次画素をリセットする電子先幕撮影機能を有し、
前記制御部（カメラコントローラー１４０）は、前記電子先幕撮影機能を使用して撮影する時、前記第２チャージ完了位置で前記チャージ部材（２９、２２９）が停止するように前記アクチュエータ（モータ４６）を制御し、前記駆動ユニット（１９９、２９９）が前記第２弾性部材（後幕走行バネ３５）への前記第２付勢力の付与を完了し、前記駆動ユニット（１９９、２９９）が前記第１弾性部材（先幕走行バネ２５）への前記第１付勢力の付与を完了していない時点で、電子先幕撮影待機状態とする。
【０２４８】
（１２）第１２の特徴に係るフォーカルプレーンシャッタ装置は、第４から第８のいずれかの特徴に係るフォーカルプレーンシャッタ装置において、
前記駆動ユニット（２９９）は、前記第１先幕位置（Ｐ１１）および前記第２先幕位置（Ｐ１２）の間を移動可能に前記シャッタ地板（１１）に前記先幕（２１）を連結する先幕駆動部材（先幕駆動レバー２８）と、前記先幕（２１）が前記第２先幕位置（Ｐ１２）から前記第１先幕位置（Ｐ１１）へ移動する際に前記先幕駆動部材（先幕駆動レバー２８）の移動を規制可能に設けられた先幕ロック部材（先幕ロックレバー２５３）と、を有している。
【０２４９】
（１３）第１３の特徴に係るフォーカルプレーンシャッタ装置は、第１２の特徴に係るフォーカルプレーンシャッタ装置において、
前記チャージ部材（チャージレバー２２９）は、前記先幕ロック部材（先幕ロックレバー２５３）による前記先幕駆動部材（先幕駆動レバー２８）の規制を解除する先幕ロック解除部（２９ｈ）を有している。
【０２５０】
（１４）第１４の特徴に係るフォーカルプレーンシャッタ装置は、第１２または第１３の特徴に係るフォーカルプレーンシャッタ装置において、
前記駆動ユニット（２９９）は、前記先幕ロック部材（先幕ロックレバー２５３）が前記先幕駆動部材（先幕駆動レバー２８）の移動を規制した状態を保つように前記先幕ロック部材（先幕ロックレバー２５３）に弾性力を付与する先幕ロック弾性部材（先幕ロックバネ２５５）を有しており、
前記アクチュエータ（モータ４６）は、前記先幕ロック弾性部材（先幕ロックバネ２５５）の弾性力に逆らうように前記チャージ部材（チャージレバー２９、２２９）を介して前記先幕ロック部材（先幕ロックレバー２５３）を駆動可能である。
【０２５１】
（１５）第１５の特徴に係るフォーカルプレーンシャッタ装置は、第１２から第１４のいずれかの特徴に係るフォーカルプレーンシャッタ装置において、
前記駆動ユニット（２９９）は、前記第１弾性部材（先幕走行バネ２５）の弾性力を前記先幕駆動部材（先幕駆動レバー２８）に伝達可能に配置された先幕セット部材（先幕セットレバー２４）を有しており、
前記先幕セット部材（先幕セットレバー２４）は、前記第１付勢力を前記第１弾性部材（先幕走行バネ２５）に付与する際に前記チャージ部材（チャージレバー２９、２２９）を介して前記アクチュエータ（モータ４６）により駆動される。
【０２５２】
（１６）第１６の特徴に係るフォーカルプレーンシャッタ装置は、第４から第１５のいずれかの特徴に係るフォーカルプレーンシャッタ装置において、
前記駆動ユニット（１９９、２９９）は、前記チャージ部材（チャージレバー２９、２２９）が前記第１付勢力および前記第２付勢力の付与を開始する前の原点位置に戻るように前記チャージ部材（チャージレバー２９、２２９）に弾性力を付与する復帰弾性部材（チャージレバー復帰バネ３０）と、前記チャージ部材（チャージレバー２９、２２９）が前記原点位置に戻るのを規制する復帰ロック部材（先幕駆動レバー２８、リターンロックレバー２３７）と、を有している。
【０２５３】
（１７）第１６の特徴に係るフォーカルプレーンシャッタ装置は、第１から第１６のいずれかの特徴に係るフォーカルプレーンシャッタ装置において、
前記駆動ユニット（１９９、２９９）が前記第１弾性部材（先幕走行バネ２５）への前記第１付勢力の付与を完了するタイミングは、前記駆動ユニット（１９９、２９９）が前記第２弾性部材（後幕走行バネ３５）への前記第２付勢力の付与を完了するタイミングと異なっている。
【０２５４】
第１弾性部材（先幕走行バネ２５）への第１付勢力の付与の完了時またはその近辺において、第１付勢力の付与に必要な力が最大となる。また、第２弾性部材（後幕走行バネ３５）への第２付勢力の付与の完了時またはその近辺において、第２付勢力の付与に必要な力が最大となる。
【０２５５】
しかし、このフォーカルプレーンシャッタ装置では、チャージ機構（１９４）が第１弾性部材（先幕走行バネ２５）への第１付勢力の付与を完了するタイミングは、チャージ機構（１９４）が第２弾性部材（後幕走行バネ３５）への第２付勢力の付与を完了するタイミングと異なっている。このため、第１付勢力および第２付勢力の合計の最大値を小さくすることができる。したがって、チャージ機構（１９４）の負荷を低減することができる。
【０２５６】
また、このフォーカルプレーンシャッタ装置では、先幕（２１）および後幕（３１）によりスリット露光撮影を行うことができる。
【０２５７】
したがって、このフォーカルプレーンシャッタ装置であれば、先幕（２１）と後幕（３１）とを用いたスリット露光撮影ができ、さらに、先幕（２１）および後幕（３１）をチャージする際の駆動源の負荷を低減できる。
【０２５８】
（１８）第１８の特徴に係るフォーカルプレーンシャッタ装置は、第１から第１７のいずれかの特徴に係るフォーカルプレーンシャッタ装置において、
前記駆動ユニット（１９９、２９９）が前記第２弾性部材（後幕走行バネ３５）への前記第２付勢力の付与を完了するタイミングは、前記駆動ユニット（１９９、２９９）が前記第１弾性部材（先幕走行バネ２５）への前記第１付勢力の付与を完了するタイミングよりも早い。
【０２５９】
このフォーカルプレーンシャッタ装置では、後幕（３１）のチャージ完了を早くできるので、電子先幕撮影の高速化が可能となる。
【０２６０】
（１９）第１９の特徴に係るフォーカルプレーンシャッタ装置は、第１から第１８のいずれかの特徴に係るフォーカルプレーンシャッタ装置において、
前記駆動ユニット（１９９、２９９）が前記第２弾性部材（後幕走行バネ３５）への前記第２付勢力の付与を開始するタイミングは、前記駆動ユニット（１９９、２９９）が前記第１弾性部材（先幕走行バネ２５）への前記第１付勢力の付与を開始するタイミングよりも早い。
【産業上の利用可能性】
【０２６１】
以上に説明した技術は、フォーカルプレーンシャッタ装置に適用できる。
【符号の説明】
【０２６２】
１１  シャッタ地板（シャッタ地板の一例）
１１ａ  開口部（開口部の一例）
１１ｂ  ストッパ
２１  先幕（先幕の一例）
２２  先幕駆動アーム
２３  先幕従動アーム
２４  先幕セットレバー（先幕セット部材の一例）
２５  先幕走行バネ（第１弾性部材の一例）
２６  先幕用電磁石
２７  先幕セットバネ（第３弾性部材の一例）
２８  先幕駆動レバー（先幕駆動部材の一例、復帰ロック部材の一例）
２９  チャージレバー（チャージ部材の一例）
２９ｄ  先幕保持部（先幕保持部の一例）
２９ｄａ  反転防止部
２９ｈ  後幕ロック解除部（ロック解除部の一例）
３０  チャージレバー復帰バネ（復帰弾性部材の一例）
３１  後幕（後幕の一例）
３２  後幕駆動アーム
３３  後幕従動アーム
３４  後幕セットレバー（後幕セット部材の一例）
３５  後幕走行バネ（第２弾性部材の一例）
３６  後幕用電磁石
３７  先幕リンクレバー
３８  後幕リンクレバー
３９  後幕駆動レバー（後幕駆動部材の一例）
４０  欠歯ギヤ
４１  遊星ギヤ
４２  遊星キャリア
４３  太陽ギヤ
４４  ウォームギヤ
４５  フォトインタラプタ
４６  モータ（アクチュエータの一例）
４７  チャージレバー検知スイッチ
４８  連結ギヤ
５０  先幕連結アーム
５１  後幕連結アーム
５２  後幕ロックレバー（後幕ロック部材の一例）
５３  後幕ロックバネ（後幕ロック弾性部材の一例）
５４  後幕セットバネ
１９９および２９９  駆動ユニット（駆動ユニットの一例）
２３７  リターンロックレバー（復帰ロック部材の一例）
２５３  先幕ロックレバー（先幕ロック部材の一例）
【図１】
2012014146.tif 000003
【図２】
2012014146.tif 000004
【図３】
2012014146.tif 000005
【図４】
2012014146.tif 000006
【図５】
2012014146.tif 000007
【図６】
2012014146.tif 000008
【図７】
2012014146.tif 000009
【図８】
2012014146.tif 000010
【図９】
2012014146.tif 000011
【図１０】
2012014146.tif 000012
【図１１】
2012014146.tif 000013
【図１２】
2012014146.tif 000014
【図１３】
2012014146.tif 000015
【図１４】
2012014146.tif 000016
【図１５】
2012014146.tif 000017
【図１６】
2012014146.tif 000018
【図１７】
2012014146.tif 000019
【図１８】
2012014146.tif 000020
【図１９】
2012014146.tif 000021
【図２０】
2012014146.tif 000022
【図２１】
2012014146.tif 000023
【図２２】
2012014146.tif 000024
【図２３】
2012014146.tif 000025
【図２４】
2012014146.tif 000026
【図２５】
2012014146.tif 000027
【図２６】
2012014146.tif 000028
【図２７】
2012014146.tif 000029
【図２８】
2012014146.tif 000030
【図２９】
2012014146.tif 000031
【図３０】
2012014146.tif 000032
【図３１】
2012014146.tif 000033
【図３２】
2012014146.tif 000034
【図３３】
2012014146.tif 000035
【図３４】
2012014146.tif 000036
【図３５】
2012014146.tif 000037
【図３６】
2012014146.tif 000038
【図３７】
2012014146.tif 000039
【図３８】
2012014146.tif 000040
【図３９】
2012014146.tif 000041
【図４０】
2012014146.tif 000042
【図４１】
2012014146.tif 000043